(57)【要約】  本発明は、普遍的にアクセス可能な所有物追跡データベースを備える資産追跡システムに関する。本データベースは、組織−所有物−個人モデルに基づいており、紛失物品と発見物品とを適合させる自動密接適合検索を用いる。どのような種類の所有物であっても、発見物として届け出ること、登録すること、紛失物として届け出ることができ、回収された所有物を所有者に返却することができる。本システムの実施形態は、物品の特性又は添付されたラベルコードに基づいてユーザ又は組織が物品を登録することを可能にするオンラインアクセスを含む。物品が事故、盗難、又は損傷のために損失された場合、本システムを使用して、紛失した物品を登録すること、及び報告書及び保険金請求情報を作成することができる。物品を発見したユーザは、その物品を発見物品として登録することができる。登録された紛失物品と登録された発見物品が適合した場合には、本システムを使用してその物品をその適正な所有者に返却することができる。
2005514696.tif 000002
【特許請求の範囲】
【請求項１】
所有物物品を追跡するためのシステムであって、
記憶された複数の項目を含み、各々の項目が前記システムによって追跡される所有物物品を表し、特定の項目が、特定の所有物物品に関連する属性セットを含み、前記属性は前記特定の所有物物品が登録されたか、紛失したか、及び／又は発見されたか否かを含んでいる、データベースと、
新しい所有物物品に関する項目を追加すること、及び前記データベースに記憶されている特定の所有物物品を登録された、紛失した、及び／又は発見されたとして特定することを含む、ユーザが、前記データベースで情報を入力、検索、又は更新することを可能にするユーザインタフェースと、
前記データベースと協働し、紛失及び発見されたと特定される所有物物品を自動的に適合させて、適合するものを見つけると、前記所有物物品の前記ユーザ及び／又は前記所有者に通知する検索機構と、
を備えることを特徴とするシステム。
【請求項２】
所有物物品に取り付けることができる識別可能なラベルを更に備え、前記識別可能なラベルは、前記データベースに入力して前記所有物物品と関連付けすることができる情報を含むことを特徴とする請求項１に記載のシステム。
【請求項３】
前記データベースの前記項目は、組織−所有物−個人モデルに基づくことを特徴とする請求項１に記載のシステム。
【請求項４】
第三者データベースへのゲートウェイを更に備えることを特徴とする請求項１に記載のシステム。
【請求項５】
前記データベースは、ネットワークを介してアクセス可能であることを特徴とする請求項１に記載のシステム。
【請求項６】
前記ネットワークは、インターネットプロトコルを使用することを特徴とする請求項５に記載のシステム。
【請求項７】
前記データベースは、前記データベーススキーマを変更することなく又はデータベースアクセスルーチンを再プログラミングすることなく、新しい所有物物品又は新しい物品属性を追加できるように、動的に拡張可能であることを特徴とする請求項１に記載のシステム。
【請求項８】
前記検索機構は、密接に適合する紛失物品と発見物品とを比較するための処理を実行し、前記処理は、
ｉ）紛失物品の既知の属性に基づいて検索範囲を選択する段階と、
ｉｉ）発見物品の属性を前記紛失物品の前記属性と比較する段階と、
ｉｉｉ）適合する属性の重み、番号、及び種類によって検索結果を順序付けする段階と、
を含むことを特徴とする請求項１に記載のシステム。
【請求項９】
前記データベースは、普遍的コードとして記憶された属性値を含み、地域設定に基づいて自然言語による名前が前記データベースコードから引き出されることを特徴とする請求項１に記載のシステム。
【請求項１０】
ａ）複数の国家的データベースと、
ｂ）国際的データベースと、
を更に備えることを特徴とする請求項９に記載のシステム。
【請求項１１】
ａ）属性定義を有するデータファイルと、
ｂ）前記データファイルを読み出し、前記データベースに記憶された前記属性定義を更新するソフトウェアプログラムと、
を更に備えることを特徴とする請求項１に記載のシステム。
【請求項１２】
前記システムは、ユーザが所有物のオフサイト記録を行うために使用できることを特徴とする請求項１に記載のシステム。
【請求項１３】
前記システムは、物品のタイトルチェーンの記録を保持するために使用できることを特徴とする請求項１に記載のシステム。
【請求項１４】
前記システムは、クレジットカード番号を追跡するために使用できることを特徴とする請求項１に記載のシステム。
【請求項１５】
前記システムは、事故又は犯罪の被害者を特定するために使用できることを特徴とする請求項１に記載のシステム。
【請求項１６】
前記システムは、保険金請求の自動化のために使用できることを特徴とする請求項１に記載のシステム。
【請求項１７】
担保付き貸付業者に必要とされる報告書を作成するために使用できることを特徴とする請求項１に記載のシステム。
【請求項１８】
所有物物品を追跡するための方法であって、
ユーザが所有物物品に関する情報を入力、検索、又は更新すること、及び、特定の所有物物品を登録された、紛失した、及び／又は発見されたとして特定することを可能にするユーザインタフェースを介して、ユーザから情報を受信する段階と、
前記登録、紛失、及び／又は発見情報を動的に検索可能なデータベースに記憶する段階であって、前記データベース内の各々の項目は、前記システムによって追跡された所有物物品を表し、特定の項目は、特定の所有物物品に関連する属性セットを含み、前記属性は前記特定の所有物物品が登録されたか、紛失したか、及び／又は発見されたか否かを含んでいる段階と、
紛失物品と発見物品の両方として特定される所有物物品を自動的に適合させて、前記所有物物品のユーザ及び／又は所有者に通知する段階と
を備え、紛失及び発見されたと特定される所有物物品を自動的に適合させて、前記所有物物品の前記ユーザ及び／又は前記所有者に通知する段階と、
を含むことを特徴とする方法。
【請求項１９】
実行されるとコンピュータに以下の段階を行わせる命令が格納されたコンピュータ読み取り可能な媒体であって、前記段階は、
ユーザが所有物物品に関する情報を入力、検索、又は更新すること、及び、特定の所有物物品を登録された、紛失した、及び／又は発見されたとして特定することを可能にするユーザインタフェースを介して、ユーザから情報を受信する段階と、
前記登録、紛失、及び／又は発見情報を動的に検索可能なデータベースに記憶する段階であって、前記データベース内の各々の項目は、前記システムによって追跡された所有物物品を表し、特定の項目は、特定の所有物物品に関連する属性セットを含み、前記属性は前記特定の所有物物品が登録されたか、紛失したか、及び／又は発見されたか否かを含んでいる段階と、
紛失物品と発見物品の両方として特定される所有物物品を自動的に適合させて、前記所有物物品のユーザ及び／又は所有者に通知する段階と
を備え、紛失及び発見されたと特定される所有物物品を自動的に適合させて、前記所有物物品の前記ユーザ及び／又は前記所有者に通知する段階と、
を含む媒体。
【発明の詳細な説明】
【技術分野】
【０００１】
本出願は、２００１年１２月２６日出願の米国特許仮出願番号６０／３４４，７４０「組織−所有物−個人モデルによる資産追跡システム」の優先権を主張するものであり、本出願の開示内容全体は、引用により本明細書に組み込まれている。
【０００２】
本発明は、一般的に所有物追跡システムに関し、特に、組織−所有物−個人モデルを使用する所有物又は資産追跡のためのシステムに関する。
【背景技術】
【０００３】
この数年間で、インターネットの進歩及び拡大が著しく進展し、インターネットは、一般的な世界的通信媒体になっている。同時に、個人用電子機器の種類が大幅に増加するに至っている。これまで、いつとは限らず、個人所有物の紛失につながる盗難、火災、洪水、及び忘却が発生している。何年にもわたって、紛失又は盗難にあった所有物が発見又は回収された場合に、所有者に戻すことができるよう個人所有物を追跡しようという試みが幾度となく行われている。
【０００４】
これまでいくつかのアプローチが講じられているが、いずれも満足できる結果をもたらすには至っていない。１つの例を検討すると、現地警察又は消防署は、子供たちの自転車の登録には成功している。多くの場合、これは現地の管理局のボックスに保管される紙製カードでもって行われている。このアプローチは、自転車等の一部の所有物が盗難に遭った場合、多く場合は別の都市で発見されるか又は発見された自転車の所有者情報を見つけるのが困難である場合が多いので、効果のないものであった。
【０００５】
広範囲な地理的地域を対象とする登録システムを作成しようとするものが一部に存在する。一般的に、これらの登録システムは、紛失又は発見された所有物を記載することができる登録地域として機能するだけである。これらは、個人情報を公的に利用可能にするので、このような登録システムの使用を快く受け入れる人たちは限られる。登録システムが公的には利用可能でなくプライバシーを守るサービスを提供するものもあるが、この場合には登録項目を検索して適合するものを見つける人に左右される。
【０００６】
幾つかのサービスプロバイダは、ユーザ認識番号をもつラベルを提供している。ラベル付された物品が発見されると、その物品の番号を用いて所有者を突き止めることができる。これらのシステムの一部は、所有物の返却を支援するために宅配便業者又はメールボックス業者を利用している。このアプローチは、窃盗犯がラベルを取り外した場合には役に立たない。また、このアプローチでは、発見者又は所有者に関する個人情報が暴露されるか、又は適合するものを見つけて返却作業を行うウェブサイトスタッフを必要とする。
【０００７】
米国自転車登録所は１９８４年から運営されており、自転車の全国レベルの登録システムの確立に成功している。この登録システムでは、自転車に関する情報を記憶するためにコンピュータデータベースが使用されており、登録された自転車の所有者への返却に大きな成果を上げている。近年、ワールド・ワイド・ウェブインタフェースが米国自転車登録制度に追加され、ユーザは、自分の自転車を登録すると自転車の紛失又は盗難をインターネットで簡単に届けることができるようになっている。米国自転車登録所の職員は、法執行機関と連携して、回収された自転車の所在を突き止めて登録所有者に返却している。成功は収めているが、米国自転車登録所のデータベースは自転車に限定されており、その目標を達成するためには多大な人的努力を必要としている。
【０００８】
所有物追跡システムによって対処されていない幾つかの問題がある。これらのアプローチの多くは、自転車又はペット等の単一の種類の物品に限定されている。特定の種類の物品に限定されているために、データベースは、歯車数又は車輪の数等の物品の種類に限定される特定セットの属性を追跡するにすぎない。これらの属性は、ラップトップコンピュータ等の別の種類の物品には適用されない。
【０００９】
前述のアプローチの多くは、適合するものを見つけるために記録を検索する人的労力を必要とする。人的労力を必要とするのでサービスの経費が高くなり、処理に遅延が生じ、更にエラーが発生しやすい。
【００１０】
更に、これらのアプローチの多くは、製造番号又はラベル番号等の限られた数の属性を追跡するに過ぎない。この重要な属性が取り除かれるか変更された場合、システムは機能しなくなる。また、これらのシステムは、非常に正確な適合を必要とするので類似の適合は無視される。
【００１１】
これらのシステムの多くのデータベースの設計は、所有者に関する情報が冗長に記憶されている所有物モデルのみを基本としている。このことは、小規模なデータベースには十分な場合もあるが、国家的規模又は国際的規模で情報を記憶しようとする場合には、データの冗長性によってデータベースの規模が大きくなる。また、冗長データは、複数の所有物の所有者の住所又は電話番号等の情報が変わる際に保守するのは困難である。
【００１２】
これらのシステムの多くによって使用されているデータベースは堅牢であるために、データベースの設計を変更することは困難であり経費がかかる。
【００１３】
一般的に、新しい種類の所有物を組み込むための小さな変更でさえも、
１．データベーススキーマ（データ要素の組織）の変更、
２．データベースアクセスルーチンの再プログラミング、
３．ウェブページ又はユーザインタフェースの再設計、
４．この変更に伴う不具合の導入、
を必要とする。
【００１４】
また、これらのシステムの多くでは、保証管理又は保険金請求との何らかの形の統合を行うことができない。
【００１５】
これらの全ての問題により、発見された物品が所有者に返却されず、所有物の盗難及び／又は破壊により社会全体の損失となっている。
【発明の開示】
【課題を解決するための手段】
【００１６】
本発明の実施形態によれば、自動密接適合検索による組織−所有物−個人モデルに基づく普遍的にアクセス可能な所有物追跡データベースを備え、任意の種類の所有物の発見時の届け出、登録、紛失時の届け出を行うことができ、回収された所有物を所有者に返却することができるシステムが提供される。
【００１７】
従って、前述したシステムの目的及び利点に加えて、本発明の幾つかの別の目的及び利点は、
１．複数の物品の種類をサポートするデータベースを提供すること、
２．データベーススキーマを再設計することなく、更にデータアクセスルーチンを再プログラミングすることなく、新しい物品又は新しい物品属性を追加することができるように、動的に拡張可能なデータベースを提供すること、
３．データベースに既に存在する物品種類に関する新しい属性を受け入れることができるデータベースを提供すること、
４．これまでのところデータベースでサポートされていない新しい物品種類を受け入れることができるデータベースを提供すること、
５．国際的に異なる言語を理解するユーザが使用できるデータベースを提供すること、
６．普遍的に認識されるラベルを使用し、ラベルが取り外された後でも登録事項を示すことができるシステムを提供すること、
７．やすりで削り取られた製造番号等の、不明な又は曖昧な属性をもつ物品でも依然として所有者と適合させることができるように密接適合検索を行うこと、
８．適合プロセスが連続的であり人手に頼らないように自動化された検索を行うこと、
９．クレジットカード、キャッシュカード、電子口座振込み等を含む種々の決済方法のための自動決済手段を提供すること、
１０．クレジットカード所有者に新しい利点をもたらすこと、
１１．企業の資産追跡のための普遍的な手段を提供すること、
１２．保険金請求を行うための統合されたシステムを提供すること、
１３．個人所有物のオフサイト記録を提供すること、
１４．販売チャンネルを介して、製造からの物品の履歴（又は権利関係の連続）を顧客に供給し、最終的には廃棄すること、
１５．保証応答を高めるように、消費者が所有物の所有権を製造業者に通知して、保証サポート及びサービスを受けるための統合されたシステムを提供すること、
１６．所有物を所有者に返却することによって税金、保管費用、債務を軽減するために、航空会社、タクシ、及びホテル等の輸送及び接客サービスを可能にする仕組みを提供すること、
１７．統合されたインタフェースを介して、公的な宅配便又は法執行機関を用いて所有物を所有者に返却する複数の手段を提供すること、
１８．犯罪を解決して盗難された所有物在庫を減らすために、地方、州、国、及び国際レベルの法執行機関に対する普遍的なアクセスを可能にするツールを提供すること、
１９．単一組織内で複数のユーザを可能にし、組織的な関係に基づいてアクセス特権を決定するシステムを提供すること、
２０．ユーザが忘れたパスワードを自動的に回復することができるシステムを提供すること、
２１．犯罪を阻止すること、
２２．事故の被害者の家族を迅速に特定して通知することができるシステムを提供すること、
２３．企業、市民、及び法執行機関の間の連絡を改善すること、
２４．所有物の発見者が所有物の所有者と連絡を取ることができる匿名手段を提供すること、
２５．登録事項以外の関連データにアクセスする手段を提供すること、
２６．法執行機関、担保付き融資貸付機関等の組織による報告処理を容易にすること、
２７．新しい登録者及び他のユーザに対してラベル及び他の商品を自動的に提供すること、
２８．物品の新しい属性を定義するためのユーザ入力手段を提供すること、
である。
【００１８】
図面において、密接に関連する図面は、同じ番号を有しているが異なる英字の添字が付与されている。
【発明を実施するための最良の形態】
【００１９】
本明細書で使用される用語は、総じて一般的な意味又は当業者に対する意味に従って解釈されるべきであるが、一部の用語は、特定の意味を有することが意図されている。以下の用語は、明瞭にするために以下に定義されており、これらの用語が最初の文字が大文字表記で本明細書に記載される場合は、一般的な意味又は本技術分野における意味に対して優先されるべきである。
【００２０】
エンティティ
エンティティは、現実の世界のもの又は概念上のものを説明する抽象的なデータベースに関する概念である。エンティティは、他のエンティティと１つ又はそれ以上の相関（Ｒｅｌａｔｉｏｎｓｈｉｐ）を有することができる。各エンティティの間の相関は、エンティティ−相関モデルを示すグラフで示すことができる。エンティティは、一般的に、データベース管理システムでは単一のテーブルによって表される。エンティティの属性は、一般的に、データベーステーブルにおいてフィールドで表される。別のエンティティ又はそれ自体との相関は、一般的に、重要なフィールドについて表される。例えば、個人は、組織に属することができ、個人及び組織の両方は関連づけされる。この例では、個々のエンティティは、個人を個人が関連付けされる組織とリンクさせる重要なフィールドを有することになる。本明細書に開示されるエンティティの１つは、「エンティティ」エンティティであり、特定の「エンティティ」エンティティの意味は、普遍的な抽象的記述子の一般的な意味である。
【００２１】
相関
相関は、エンティティと別のエンティティとの関係を説明する抽象的データベース概念である。相関は、エンティティが相互にどのように関係するかを示すものである。
【００２２】
エンティティ−相関モデル
エンティティ−相関モデルは、どのようにデータを組織化するかを説明する１つの方法である。一般的に、このモデルは図示され、一般的にスキーマと呼ぶことができるが、より正確には、スキーマは、各々のエンティティの属性の完全な定義を含む。
【００２３】
組織−所有物−個人モデル
組織−所有物−個人モデルは、本発明のデータベースのアーキテクチャの中核的基盤をもたらすために使用される。本明細書で説明するように、組織はエンティティであり、所有物はエンティティであり、個人はエンティティである。これらのエンティティの各々は、互いに複数の関係を有することができる。例えば、製造業者である特定の会社は、組織テーブルの記録として現れる場合がある。１つの所有物の製造業者は、次には所有物テーブルの記録として現れるであろう。その同一の所有物は、保険会社である別の組織によって保険をかけることができ（組織テーブルでは別の記録として表される）、警察署の保管物とすることができる（組織テーブルでは別の記録として表される）。記録をファイルする保険代理店等の人々、所有物の所有者、及び警察官の全ては、個人テーブルでは異なる記録によって表すことができる。組織、所有物、及び個人を別個のエンティティとして処理することによってのみ、現実の世界を適切にモデル化することができる。
【００２４】
データベース
データベースは、一般にデータが入っているファイルの収集物に留まらない。一般に、データベースは、エンティティを表す複数のテーブルを効率的に管理し、フィールド又は重要なフィールドに基づいてインデックスを使用してスキーマにおける相関に基づいてアクセスを迅速化するための、データベース管理システム（ＤＢＭＳ）に記憶され、それによってアクセスされるデータの収集物である。
【００２５】
従来技術の登録システム
図１Ａは、一般的な従来技術の所有物登録システムを示す。従来技術の登録システム１００は、従来技術の人的インタフェース１０４を介して検索担当者１０６によって検索可能である従来技術のデータベース１０２（場合によっては紙製カード）を備える。電話ユーザ１１６は、従来技術の電話インタフェースを介して、従来技術の電話１１２で紛失又は発見した物品を届け出ることができる。郵便ユーザ１１８は、郵便業務又は宅配業務等の従来技術の郵便インタフェース１０８を介して、紙製の従来技術の郵便物１１４を送ることによって、物品を登録すること、又は紛失又は発見した物品を届け出ることができる。前述したように、多くの従来技術による登録システム１００には、コンピュータデータベースは存在しておらず、どのような形式のネットワークインタフェースも無かった。
【００２６】
図１Ｂは、一般的な従来技術のデータスキーマを示す。米国自転車登録システムを含めて多くの従来技術の登録システム１００は、組織−所有物−個人モデルを有していない。その代わりに、初期の登録システムの多くは、所有物及びその所有者１１を追跡するための単一のエンティティを有していた。図１Ｂは、所有物データ１３４と同一のエンティティ（又はテーブル）内のフィールドとして所有者の個人データ１３２を含む従来技術のエンティティ１３０を示す。
【００２７】
図１Ｃは、従来技術のデータベース１０２の一例を示す。所有物テーブル１４０は、個人データフィールド１４２及び所有物データフィールド１４４を含む。この単純な例示的な所有物テーブル１４０は、テーブル内に３つの別個の所有物を有し、各々はテーブル内の列に示されている。第１の所有物１５２は、「ｒｅｄ  １０  ｓｐｅｅｄ」であり、関連の所有者は、第１の個人１５０「Ｊｏｈｎ  Ｄｏｅ」である。第２の所有物１６２は、「ｐｉｎｋ  ｓｔｒｉｎｇｒａｙ」であり、関連の所有者は、第２の個人１６０「Ｍａｒｙ  Ｓｍｉｔｈ」である。第３の所有物１７２は、「ｂｌｕｅ  ３  ｓｐｅｅｄ」であり、関連の所有者は、第３の個人１７０「Ｊｏｈｎ  Ｄｏｅ」である。現実の世界では、１５０及び１７０の「Ｊｏｈｎ  Ｄｏｅ」は同一の個人であるが、従来技術のデータベースは所有物を基本としたものであるために、個人データフィールド１４２には、冗長な情報が含まれている。住所、市、州、郵便番号、勤務先電話、自宅電話、ファックス電話等のより多くの属性が含むことによって複数の個人データフィールドが複雑になった場合、及び、個人が何百もの所有物を登録した場合、集合的に何千又は何百万もの所有物がデータベースに記憶された場合、この冗長なデータは、記憶スペースの問題及び更新の問題を引き起こす。
【００２８】
ネットワークアクセス可能な登録システム
図２Ａは、ネットワーク２０４上でユーザ２０８によって直接アクセスされる登録システム２００を示す。このアクセスは、第１のネットワーク接続２０２を介して登録システム２００をネットワーク２０４に接続すること、及び第２のネットワーク接続２０６を介してユーザをネットワークに接続することによって行われる。本発明において、ユーザは、図１Ａの検索担当者１０６等の人的仲介を必要とすることなく登録システム２００にアクセスできる。本発明のこの構成要素によって、従来技術の人手に頼るシステムに起因する経費、遅延、及び潜在的エラーが排除される。また、この構成要素は、多数の同時ユーザ及びデータ会話のコンピュータ自動化を可能にする。
【００２９】
複数の個人／組織会話チャンネル
図２Ｂは、登録システム２００と個人２１０及び組織２２０との会話のための複数のチャンネルを組み入れた本発明の実施形態を示す。これらのチャンネルとしては、電子メール２３０、インターネットワールド・ワイド・ウェブ（ウェブ）２４０、ファクシミリ（ファックス）２５０、紙による郵便物２６０、及び電話２７０を挙げることができる。組織の代表者２２２は、組織代表リンク２２１で表す組織２２０に関連付けされる。登録メール２８０、登録ウェブ２８２、登録ファックス２８４、登録郵便物２８６、登録電話２８８は、各々のチャンネルを介して送受信するために使用される。個人電子メール２９０、組織電子メール２９１、個人ウェブ２９２、組織ウェブ２９３、個人ファックス２９４、組織ファックス２９５、個人郵便物２９６、組織郵便物２９７、個人電話２９８、組織電話２９９は、個人２１０及び組織代表者２２２に関する各々のチャンネを介して送受信するために使用される。本発明の好適な実施形態では、ユーザと連絡を行うためにこれらのチャンネルの各々が使用される。使用される各々のチャンネルは、システムにアクセスできる人数を増やす。
【００３０】
最初に物品を登録することができる個人２１０及び組織２２０としては、製造業者、法執行機関（地域ライセンスプログラムより）、販売場所登録を含む小売業者、保険会社、及び所有物の所有者である個人消費者を挙げることができる。本発明の目的及び利点は、各々の組織２３０が登録システム２２０にデータを入力するための特定のアクセス特権及びアクセス方法をもつことを可能にするモデル（図３Ａにて以下に説明する）及びネットワークサイト（図４にて以下で説明する）を提供することである。
【００３１】
登録システム２００から情報を受信することができる個人２１０及び組織２３０としては、法執行機関、製造業者、消費者、保険会社、リサイクル業者、小売業者、金融機関、サービス及び輸送業者、貸付け業者（担保付き所有物貸し付け業者を含む）、及び所有物回収をアシストできる宅配及びメールボックスサービス等の組織が含まれる。本発明の目的及び利点は、各々の組織２３０が登録システム２００から情報を取得するための特定のアクセス特権及びアクセス又は受信方法を有することを可能にするモデル（図３Ａにて以下に説明）及びネットワークサイト（図４にて以下に説明）を提供することである。
【００３２】
組織−所有物−個人モデル
図３Ａは、組織−所有物−個人モデルを示す。既存の登録システムは、基本とするデータモデルに限界があった。製品は、その寿命にわたって、販売員、所有者、保険代理店、窃盗犯、及び警察官や新しい所有者等の複数の個人との複数の相関をもつと判定される。このことは、個人及び組織にも当てはまることが分かっている。組織は多くの構成員を有することができ、個人は、特定の法執行機関代理人を代表し、家族の長であり、自転車及び時代物のライフルの所有者であり、青年ラグビーチームコーチである警察官といった多くの組織と関連する場合がある。同じ個人は、異なる組織における会員資格に基づく異なる役割を果たす。また、１つの所有物は、複数の人々と相関をもつことが分かっており、複数の人々は、単一の所有物の管理チェーン内にあることが分かっている。これらの重要な相関を認識する中核モデル上の登録データベースを構築することでのみ、前述の本発明の全般的な目的及び利点を満たすことができる優れたシステムを提供することができる。
【００３３】
従来技術のモデル（図１Ｂを参照）とは異なり、個人データ１３２は、所有物データ１３４とは別個に体系化される。個人データは、個人エンティティ３００と関連付けされる。所有物データは、所有物エンティティ３０２と関連付けされる。組織データは、組織データ３０４と関連付けされる。データをこのように分けることによって、個人、所有物、及び組織の間の多対多の関係を、所有物−個人相関３１０、組織−所有物相関３１２、及び組織−個人相関３１４によってモデル化することができる。
【００３４】
紛失物品、発見物品、及び登録物品
図３Ｂは、紛失物品、発見物品、及び登録物品に関連する状態の可能性のある組み合わせを示す。紛失物品３２０の円は、紛失物である物品セットである。発見物品３２２の円は、発見品である物品セットである。登録物品３２４の円は、登録品である物品セットである。紛失物品３２０の円と登録物品３２４の円との共通集合は、紛失物であり登録品である物品、即ち登録済み紛失物品３３０のセットを表す。紛失物品３２０の円と発見物品３２２との円の共通集合は、紛失物であり発見品である物品、即ち、紛失発見物品３３２のセットを表す。発見物品３２２の円と登録物品３２４の円との共通集合は、発見品であり登録品である物品、即ち、登録済み発見物品３３４のセットを表す。３つの全ての円の共通集合は、登録品であり届出紛失物であり届出発見品である物品、即ち、登録済み紛失発見物品３４０を表す。
【００３５】
既存の登録システムを解析すると、それらの多くは物品を予め登録するものではないことが分かった。行方不明物品は予め登録されていないので、多くの場合、行方不明物品の所有者がその属性の全てを正確に説明することは困難である。多くのシステムは製造番号を必要とし、多くの所有者は、物品が行方不明品となった後は製造番号を割り出すことが不可能であると考えている。また、多くの登録システムは、物品の発見前に紛失物として届け出されることを想定しているので、行方不明として届け出された物品の検索手段を提供するに過ぎないことが分かっている。しかしながら、本発明は、行方不明になる前に所有物の登録を促進するものである。本発明は、所有物を製造時に登録することを可能にする。物品が行方不明として届け出される前に発見された場合、よくあるケースであるが、本発明の登録システム２００では、発見者が本システムを使用して所有者にその所有物を発見したことを通知することができる。所有者への早期の通知によって、警察は、非常に時機を得た方法で紛失物品に関する情報を取得することができ、警察が犯罪を解決する可能性が高くなる。また、早期通知により、所有物の特定が事故又は犯罪の特定の手がかりとなる場合には大きな利点となる。多くの従来技術の登録システムでは、登録済み発見物品３３４の処理を行うことができない。
【００３６】
本発明の実施形態は、紛失物品を行方不明として届出される前に登録する必要がある仕組みを実行する。これによって届出紛失物品は、確実に登録済み紛失物品３３０になり、発見品として届け出された場合には、登録済み紛失発見物品３４０になる。登録済み品であり届出紛失品であり届出発見品となった物品、即ち、登録済み紛失発見物品３４０は、回収される可能性が非常に高い。
【００３７】
本発明の実施形態は、発見物品を所有者のいない状態で登録できる仕組みを提供する。これによって、届出発見物品３２２は、登録済み発見物品３３４となり、紛失物として届け出された場合には登録済み紛失発見物品３４０となることができる。登録済み品であり届出発見品であり届出紛失品であった物品、即ち、登録済み紛失発見物品３４０は、回収される可能性が非常に高い。
【００３８】
ネットワークアクセス可能な登録の詳細
図４は、本発明の好適な実施形態を示す。ネットワークでアクセス可能な登録の詳細を示す。ネットワーク２０４は、暗号化されたデータ接続４１０上で機密保護された決済プロセッサ４００を登録ホスト４２０の機密保護されたサイト４３０に接続する。また、ネットワーク２０４は、通常の接続４１２上で主サイト４３２にアクセスするための個人２１０及び組織２２０を備える、ユーザ４０２の主要アクセス機構である。また、登録管理者４０４は、パスワードで保護された管理者接続４１４で管理サイト４３４にアクセスする。登録ホスト４２０において、アプリケーションサーバ４３６は、機密保護されたサイトを提供する機密保護された決済アプリケーション４５０、主サイトを提供する主アプリケーション４５４、及び管理サイトを提供する管理アプリケーション４５４を含むネットワークアプリケーションのサポートを行う。アプリケーションサーバは、データベース４３８へのアクセスを可能にする。好適な実施形態において、個々の手順４４０は、前述の図３Ａに示す組織−所有物−個人モデルに基づいて体系化されるデータ４２２と一緒にデータベース４３８に記憶される。アプリケーションサーバは、アプリケーション接続４５６を介して記憶された手順及びデータ４４２を取得する。登録ホスト４２０は、単一のコンピュータとすることができるか、又は複数のコンピュータとすることができる。階層化された実施形態において、アプリケーションサーバ４３６は、１つのコンピュータ及びデータベース４３８で作動することができ、そのデータベース管理システムは、１つ又はそれ以上のコンピュータ上で作動することができる。ラインは、随意的な階層化パーティション４４４の論理的な地域を示す。アプリケーション接続４５６は、ハードウェア境界及び本技術分野ではよく知られている別のネットワークを横断することができる。
【００３９】
機密保護された決済プロセッサ４００は本技術分野ではよく知られている。２つの例は、サイバキャッシュ及びインテリペイである。ユーザ４０２が購入を行うか又は極秘情報を入力する準備ができている場合、登録システム４２０との接続は、主サイト４３２から機密保護されたサイト４３０に引き継がれる。アプリケーションサーバ４３６は本技術分野ではよく知られている。好適な実施形態のアプリケーションサーバは、Ｏｒａｃｌｅアプリケーションサーバであるが、アプリケーションサーバは、ｐｅｒｌ、ｊａｖａ、又はＣ＋＋等の任意のプログラミング言語で実行することができる。他のアプリケーションサーバは、データベース販売業者及び第三者ツール開発業者から入手できる。好適な本実施形態の記憶された手順４４０は、ＯｒａｃｌｅのＰＬ／ＳＱＬである。記憶された手順４４０は、他の言語で実行することができる。本発明の別の実施形態において、手順は、データベースにはまったく記憶されず、その代わりに、アプリケーションサーバ４３６、機密保護された決済アプリケーション４５０、主アプリケーション４５２、又は管理アプリケーション４５４の一部として標準的なアプリケーションコードであってもよい。当業者であれば本発明のこの変形例を理解できるであろう。好適な本実施形態のサイト（４３０、４３２、及び４３４）は、インターネットプロトコルを使用するネットワーク２０４を介してアクセス可能であるワールド・ワイド・ウェブサイトである。当業者であれば、本発明を実施するために任意のネットワークプロトコルを使用できることが分かるであろう。本明細書で示す好適な実施形態におけるネットワークとしてインターネットを使用すると、登録システム４２０は世界的かつ普遍的なアクセスができる。好適な実施形態のデータベースはＯｒａｃｌｅＤＢＭＳである。他のＤＢＭＳは、データベース設計及び実装技術の当業者にはよく知られており、他のＤＢＭＳを使用して本発明を実施することができる。
【００４０】
管理者４０４は、新しい所有物の種類及び属性の種類をデータベースに追加するための特別な権限を有する。空飛ぶ車等の新しい種類の所有物が一般的に利用可能になった場合、管理者４０４は、これをデータベースに定義することによって新しい所有物の種類を追加することができる。好適な実施形態のアプリケーション（４５０、４５２、及び４５４）及び手順４４０は、新しい所有物の種類が追加された場合に変更する必要がないように書き込まれている。また、管理者４０４は、プロペラの枚数等の新しい属性を新しい種類の所有物に追加することができる。
【００４１】
ユーザ４０２は、登録システム４２０にアクセスして登録システムに参加し、マーキングラベル及び他の商品及びサービスの購入、物品の登録、行方不明物品の届け出、発見物品の届け出、密接に適合する物品の検索、及び保険請求報告書を含む種々の報告書の印刷を行う。金融取引は、人間の作業スタッフではなく、コンピュータによって機密保護された方法でもって処理される。
【００４２】
物品検索方法
図５は、物品検索方法５００を示す。本発明の好適な実施形態において、ユーザ４０２は、登録システム２００の検索を開始して紛失した物品と密接に適合する発見物品３２２を取得することができる。登録担当職員の労力を要することなく、ユーザ４０２がデータベース４３８を直接検索できる点は本発明の目的及び利点の１つである。システムは、以下に説明するように定期的に自動検索を行うが、ユーザ４０２は、密接適合物品検索方法５００を開始して、高い確実性で、自動的に判定できない物品を見つけることができる。
【００４３】
物品検索方法５００は、経路５１２を介して物品選択段階５１４までの物品検索入口点５１０から始まる。物品選択段階５１４では、ユーザ４０２には、関連物品のリストが提示される。ユーザは、リスト上の１つ又はそれ以上の物品が行方不明であることを指示する。次に、経路５１６に沿って範囲選択段階５１８に進み、検索範囲は、登録物品の有効な値を有する属性によって制限される。例えば、物品の所有者が登録物品３２６に関する色属性を指定した場合、所有者は、「赤色」等の登録物品３２４と同一の値を有する色を検索範囲に含めることができる。範囲が選択されると、経路５２０に沿って表示判定段階５２２に進み、データベース手順によって発見物品３２２が検索され、適合物品に関する情報が表示される。本発明において、検索結果は、重み、番号、及び適合する属性の種類の順に並べられる。管理者４０４は、物品の種類に対して追加する各々の属性に重みを与える。製造番号又はラベル番号等の特定の属性は、通常、色等の他の区別のつきにくい属性よりも大きな重み値が与えられる。次に、経路５２４に沿って発見物品判定５２６に進み、ユーザ４０２は物品が適合するか指示する。
【００４４】
発見された物品がない場合、又は、ユーザが検索したが該当する物品ではないと考えた場合、経路５２８に沿って進み、このプロセスは、物品が発見されるまで段階５１４、５１８、及び５２２を繰り返す。
【００４５】
発見物品３２２が登録済み紛失物品３３０に適合すると思われる場合、プロセスは、経路５３０に沿って発見者への通知段階に進み、発見者への通知が行われる。典型的には電子メールが発見者に送信される。随意的に、ユーザ４０２は、紛失物品３２０が本当に発見されたという確実性を確立する手助けとなる別の情報又は質問を含めることができる。この方法は、経路５３４に沿って物品検索出口点５３６に進むと終了する。
【００４６】
発見者が法執行機関である場合、所有者は、その所有物を請求して、法執行機関に紛失に関する情報を提供することができる。発見者が善良な市民である場合、所有者及び発見者は、所有物の回収の手配を行うための幾つかの選択肢を有する。本発明は、所有者及び発見者がプライバシー及び個人のセキュリティを維持することができるように、宅配便及び郵便箱サービスへの連絡経路を提供する。適合物品が見つからなかった場合、ユーザ４０２は、サイトに戻った後に、別の密接適合検索を行うことができる。
【００４７】
紛失物／発見品届出方法
図６は、紛失物／発見品届出方法６００を示す。本発明の好適な実施形態において、ユーザ４０２は、紛失物品３２０又は発見物品３２２を届け出ることができる。登録担当職員の労力を要することなく、ユーザ４０２が紛失物品又は発見物品を登録システム２００に届け出ることができる点は、本発明の目的及び利点の１つである。紛失物品３２０又は発見物品３２２の届け出があった場合、当面の特定の適合が有る可能性がある。しかしながら、当面の適合がなかった場合、本発明では、特定の適合と判定できるか否か判定するために、登録済み紛失物品３３０を定期的に検索する。同一の流れ図を使用して、紛失物品の届け出及び発見物品の届け出の両方に関する各段階のプロセスを示す。この方法は、紛失物品の処理と発見物品の処理との間の僅かな差異をもつコードセットで実施できるか、又は２つの別個ではあるが殆ど同じコードセットで実施できる。
【００４８】
この方法は、入口点６１０で始まり、経路６１２に沿って進み、入会判定に至り、ユーザが登録会員として入会済みであるか否かが判定される。入会済みではない場合、経路６１６に沿って進み入会決定６１８に至る。非登録ユーザには正規登録会員になる機会が与えられる。正規会員になることを希望する場合、経路６２０に沿って進み、登録段階６２２に至り、ユーザ４０２は会員登録して本人に関する情報を与える。また、好適な実施形態において、ユーザは、この段階で会費を支払う。次に、経路６２４に沿って進み、登録詳細段階６２６に至る。また、ユーザが入会判定６１４で既に登録済みであった場合、経路６２８に沿って進み、登録詳細記述段階６２６に至る。段階６２６において、ユーザは、地域、日付、及び時間等の紛失（発見）事象に関する情報を与える。次に、経路６３０に沿って進み、ユーザのプロフィールを取得する段階６３２に至り、登録ユーザのプロフィールがデータベースから取得され、次に、経路６３４に沿って進み、物品の選択又は定義段階６３６に至る。
【００４９】
ユーザ４０２は、入会しないと決定した場合（入会決定６１８にて）でも発見物品を登録することができる。この場合、経路６４０に沿って進み、未登録詳細記述段階６４２（登録詳細記述段階６２６と全く同じではないとしても類似している）に至り、ユーザは、地域、日付、及び時間等の発見事象に関する情報を与える。次に、経路６４４に沿って進み、ユーザプロフィールの作成段階６４６に至り、システムは、匿名ユーザプロフィールを作成する。本発明は、窃盗犯が礼金を得ようとして、又は被害者の信用を獲得する手段としてシステムを利用する詐欺を発見するか又は詐欺を証明する手助けとなり得る情報を追跡するために、ユーザプロフィールを作成する。次に、経路６４８に沿って進み、物品の選択又は定義段階６３６に至る。
【００５０】
段階６３６において、登録済み紛失物品３３０は登録物品リストから選択されるか、又は発見物品３２２はその属性によって定義される。次に、経路６５０に沿って進み、全物品決定６５２に至り、ユーザ４０２は、更に多くの物品を選択する必要があることを指示できる。この場合、経路６５４に沿って進み、多数の物品を選択（又は定義）することができる。
【００５１】
全ての紛失物品又は発見物品が紛失したとして選択されるか、又は発見したとして定義される場合、登録システム２００は、経路６５６に沿って進み、適合有無のチェック段階６５８に至り、当面の特定の適合が有るか否かをチェックする。段階６５８において、届け出された発見物品の最新セットは、届け出された行方不明物品の最新セットと照らして比較される。
【００５２】
次に、経路６６０に沿って進み、適合決定段階６６２に至り、適合が確認される。適合が行われると、次に、経路６６４に沿って進んで電子メール送付段階６７０に至り、適合する物品が発見されたことを示す電子メールが発見者及び所有者に送信される。次に、経路６７２に沿って進み、出口点６７４に至る。
【００５３】
適合決定６６２で適合が行われなかった場合、次に、経路６８０に沿って進み、遅延段階６８２に至り、本方法は、適合の有無をチェックする次の予定時間まで延期される。所定の遅延後、経路６８４に沿って進み、適合有無のチェック段階６５８に至る。本発明において、物品が紛失物（又は発見品）として届け出された場合、登録システム２００は、適合する物品が現れたか否かを確認するために、定期的に検索を続行することになる。また、これらの新に届け出られた物品は、図５の密接適合検索方法５００で使用可能となる。
【００５４】
所有物マーキングラベル
図７Ａは、所有物マーキングラベルの３つの例を示す。標準ラベル７００は、自転車、コンピュータ、携帯電話、絵画等の大型物品にマーキングを行うのに適する。標準ラベル７００及び小型ラベル７５０は、ラベルを取り外した後でも認識できる独特の形状を有する。これらのラベルは、ラベルが取り外された場合に独特のマークを残す接着剤（色素を残すこと、接着剤を残すこと、又は弱酸性で表面をエッチングすることによって）で取り付けることができる。また、標準ラベル７００は、ラベルが取り外されるか、又は別のラベル、塗料、又は類似の材料で覆い隠された場合にも独特のマークを残す、切り抜き面又は変化のある面から構成されるステンシル７１０を含むことができる。標準ラベル７００は、ウェブサイトアドレス（ＵＲＬ等）又は電話番号等の、連絡用テキスト７２０を含むことができる。小型ラベルは、鍵、メガネ、及び他の小型物品に取り付けることができる。
【００５５】
超小型ラベル７６０は、非常に小さいので通常は気づかない。超小型ラベル７６０は、書き込まれた文章又は番号が拡大鏡でしか読み取ることができないように、顕微的レーザでエッチングされる。幾つかの超小型ラベルは、大きな物体の、通常はマーキングの有無をチェックすることができないような場所に配置することができる。例えば、超小型ラベルは、コンピュータ内側の各々の構成部品又は基板上に、又は自転車シートや他の特定の場所の下に配置することができる。また、標準ラベルは、オトリとしての盗難防止手段として物品に配置することができる。
【００５６】
３つのラベル（７００、７５０、及び７６０）の全ては、登録システムに入力される場合に高い確実性で適合を判定するのを助ける識別表示を含むことができる。ラベルが残す形状又は連絡用テキスト７２０は、発見者である法執行機関又は善良な市民が、登録システム２００の所に行き、発見物品３２２を届け出て所有者を見つけることを知る助けとなる。
【００５７】
第三者データベースアクセス
図７Ｂは、第三者リンク７７２を介して登録システム２００に対する第三者データベース７７０のアクセスを示す。２つのデータベース（７７０及び２００）のフォーマット変換は、通常、登録システム２００が備える特定の第三者ゲートウェイ７７４コードによって行われる。本発明の目的及び利点は、登録システムが、第三者データベース７７０で発見されたデータ並びにデータベース４３８で発見された登録物品３２４に基づいて、適合する物品を検索できるようにすることである。
【００５８】
第三者データベースの例は、ＦＢＩ、地方の警察署、製造業者、ＣＬＥＴＳデータベース、法務省データベース、及び米国盗難所有物データベースである。一般的に、第三者データベース７００と登録システム２００に記憶された属性とは大きく異なる。第三者ゲートウェイ７７４は、この相違点を解消すると共に種々のプロトコル間、及びフォーマット間で変換を行う必要がある。
【００５９】
国際的／多言語モデル
図７Ｃは、本発明の国際的／多言語モデルを示す。第１の国家的データベース７８０は図４に示すような登録システム２００であり、単一の国又は地域のサービスを行う。第２の国家的データベース７８２は、第２の国又は地域のサービスを行う登録システム２００の別の例を示す。本発明によれば、これらのデータベースの両方は、各々の国が自国の言語で届け出を行って情報を閲覧することができるが、同時に、登録済み紛失物品３２０及び発見物品３２２の情報を第１の国家的リンク７９０及び第２の国家的リンク７９２を介して国際的データベース７８４に伝達することができるように、属性情報を普遍的なフォーマット（図８で以下に説明する）で記憶する。システムは、図７Ｃに示す２つの例のデータベースだけではなく、国際的データベースに接続される無限数の国家的又は地域的データベースを有することができる。国際的データベース７８４は、随意的に、国際的な第三者リンク７９４を介して１つ又はそれ以上の国際的な第三者データベース７７０に接続することができるであろう。
【００６０】
国際的な第三者データベースの例としては、Ｉｎｔｅｒｐｏｌ、Ｓｃｏｔｌａｎｄ  Ｙａｒｄ、又は類似のデータベースを挙げることができる。図７Ｂに示すように、国際的データベース７８４登録システムは、各々の第三者データベース７７０間のプロトコル及びフォーマット境界を解決するためのゲートウェイ７７４を有する必要がある。
【００６１】
本発明の好適な実施形態において、国家的データベース（７８０及び７８２等）は、全ての金融上の情報及び機密保護された決済プロセッサ４００インタフェースを処理するので、国際的データベースは、通貨変換及び為替レートのオーバーヘッドを負担しない。
【００６２】
国際的／多言語サブスキーマ
図８は、本発明の好適な実施形態のデータベーススキーマの部分集合を示す。このサブスキーマは、図７Ｃに示す国際的／多言語モデルをサポートする上で必要な機構を提供する。地域エンティティ８００は、国家エンティティ８１０、通貨エンティティ８２０、及び言語エンティティ８３０によって一意的に特定され、エンティティの各々は、地域に対して１対多数の相関、即ち、それぞれ国家相関８１１、通貨相関８２１、及び言語相関８３１を有する。名前エンティティ８４０は、コード形式エンティティ８６０及びコードエンティティ８５０に関連付けされ、名前相関８４１、コード相関８５１、及びコード形式相関８６１を有する。また、名前エンティティ８４０と関連があるのは、属性エンティティ８７０及びエンティティ８８０であり、エンティティ８８０は、名前相関８８１、属性相関８７１、及びエンティティ相関８９１を有する。
【００６３】
ユーザ４０２が物品の属性を説明する場合、自国語で選択を指示する。しかしながら、属性値が記憶される場合、コードエンティティ８５０で定義された普遍的なコードとして記憶される。地域及びコードは、名前エンティティ８４０から適切なワードを選択するために使用される。例えば、カリフォルニア、ペルー、及びスペインの一部の地域では、名前は「ｒｏｊｏ」である可能性があり、ルイジアナ州、ケベック、及びフランスでは、同一コードに対応する名前は「ｒｏｕｇｅ」である可能性があり、カリフォルニア、オーストラリア、及び英国では、同一コードに対する名前は「ｒｅｄ」である可能性がある。コード形式は異なるコード形式を区別するために使用される。また、属性及び物品種類（「エンティティ」ともいう）は、ユーザ４０２の言語に基づいて翻訳される名前を有する点に留意されたい。
【００６４】
登録システム２００に記憶された全データは、コードとして記憶される。これによって多言語サポートが容易になり、また、図７Ｃに示すような国家的データベースと国際的データベース７８４との間のデータ送信が容易になる。
【００６５】
新しい言語のサポートを追加するために、登録管理者４０４は、既存のコードに対応する翻訳された名前の新しいリストをロードするだけでよい。
【００６６】
このアプローチの利点の１つの例は、フランスで何かを紛失した米国のビジネス旅行者が、紛失した物品を英国で届け出し、フランス語を話す発見者が、フランス語でそれを発見したと入力できることである。定期的に、紛失物の届け出と発見品の届け出の両方の物品情報が国際的データベース７８４に送信され、国際的データベース７８４は、図５に開示されるものと類似の国際的な適合処理を行う。発見者及び所有者の両方に通知されることになる。
【００６７】
スキーマの好適な実施形態
図９Ａから図９Ｄは、最良の好適な実施形態の完全なスキーマを示す。図９Ａから図９Ｄにおいて、個人エンティティ３００は「ユーザアカウント」と題され、所有物エンティティ３０２は「物品」と題され、組織データ３０４は「組織」と題される点に留意されたい。
【００６８】
データベース設計及びプログラミングの技術分野、及び本明細書の開示内容の残りの部分で可能にされる場合の資産追跡の技術分野の当業者は、必要以上の実験を行うことなく本発明を実施することができるであろう。また、本スキーマを変更することができ、結果として得られる登録システムは、依然として本発明の目的及び利点を提供し得ることが理解される。
【００６９】
図１０Ａから図１０Ｃは、本実施形態のスキーマを更に詳細に示す。この実施形態は、図１９から図２９の画面の図に更に示されるウェブベースのシステムの基本的プラットフォームとして使用することができる。図１０Ａから図１０Ｃに示すように、システムは、以下のエンティティ及び相関を含むことができ、一部は随意的である。
【００７０】
起動１０００
このエンティティは、購読、購買、及び決済を行なうサービス（登録及びプログラミングを含む）の実際の起動を管理する。これは、請求書作成情報の全てを保守する組織（個人であっても）であるので組織と相関を有する。起動１０００は以下の相関を有する。
・起動／送り状／ショッピングカート物品相関１００２は、「各々の全ての起動が１つの唯一の送り状／ショッピングカート物品に含まれる必要がある」ことを規定する。
・起動／物品登録相関１００４は、「各々の全ての起動が１つ又はそれ以上の物品相関を登録することができる」ことを規定する。
・起動／商品相関１００６は、「各々の全ての起動が１つの唯一の商品を対象とする必要がある」ことを規定する。
・起動／組織相関１００８は、「各々の全ての起動が１つの唯一の組織による購読者である必要がある」ことを規定する。
・起動／プログラ相関１０１０は、「各々の全ての起動が１つの唯一のプログラムの起動である必要がある」ことを規定する。
・起動／ユーザアカウント相関１０１２は、「各々の全ての起動が１つの唯一のユーザアカウントによる購読者である必要がある」ことを規定する。
・プログラム起動／参照起動相関１０１４は、「各々の全ての起動が１つ又はそれ以上の参照起動のソースであってもよい」ことを規定する。
【００７１】
属性コード１０１６
このエンティティは、コード値によって制限される物品属性に関する予め定義された値を管理する。製造業者、納入業者等を含むことができる。属性コード１０１６は以下の相関を有する。
・属性コード／物品属性値相関１０１８は、「各々の全ての属性コードは、１つ又はそれ以上の物品属性値の値を定義するために使用できる」ことを規定する。
【００７２】
属性データ形式１０２０
このエンティティは、物品属性と共に使用するためにデータ形式定義を管理する。これらの定義としては、物理的データ操作（挿入／更新）を行うためのデータ及びＨＴＭＬ（表示）パラメータを挙げることができる。属性データ形式１０２０は以下の相関を有する。
・属性データ形式／データ形式相関１０２２は、「各々の全ての属性データ形式が１つの唯一のデータ形式によって分類される必要がある」ことを規定する。
・属性データ／物品属性定義相関１０２４は、「各々の全ての属性データ形式が１つ又はそれ以上の物品属性定義に関するデータ特性を指定することができる」ことを規定する。
【００７３】
属性ユーザコード１０２６
このエンティティは、リストに含まれていないドロップダウン物品属性（属性コードテーブル）の「他の」値を管理する。これらの値は、「他」フィールドにユーザによって入力され、将来の使用のためにドロップダウンリストボックスに追加される。これらの値は、属性コードテーブルに追加することができ、誰でも使用できる。属性ユーザコード１０２６は以下の相関を有する。
・属性ユーザコード／物品属性値相関１０２８は、「各々の全ての属性ユーザコードが１つ又はそれ以上の物品属性値の値を定義するために使用できる」ことを規定する。
・属性ユーザコード／組織相関１０３０は、「各々の全ての属性ユーザコードが１つの唯一の組織によって入力される必要がある」ことを規定する。
・属性ユーザコード／ユーザアカウント相関１０３２は、「各々の全ての属性ユーザコードが１つの唯一のユーザアカウントによって入力される必要がある」ことを規定する。
【００７４】
Ｂｏｏｍｅｒａｎｇｌｔジョブ待ち行列１０３４
このエンティティは、ＤＭＢＳ＿ＪＯＢを使用するＯｒａｃｌｅカーネル内のＢｏｏｍｅｒａｎｇｌｔジョブ待ち行列項目を管理する。Ｂｏｏｍｅｒａｎｇｌｔジョブ待ち行列１０３４には相関はない。
【００７５】
コード１０３６
このエンティティは、独自のデータベーステーブルをもつことを保証しないエンティティを管理する。これらの値は、ドロップダウンリストボックスを使用して制限されることになる。幾つかの例として、クレジットカード種類、決済種類等を挙げることができる。コード１０３６は以下の相関を有する。
・変更種類／送り状変更相関１０３８は、「各々の全ての変更種類が１つ又はそれ以上の送り状変更の分類であってもよい」ことを規定する。
・分類／組織相関１０４０は、「各々の全ての分類が１つ又はそれ以上の組織に関する類別であってもよい」ことを規定する。
・消費者種類／商品相関１０４２は、「各々の全ての消費者種類が１つ又はそれ以上の商品に関する目標マーケット定義であってもよい」ことを規定する。
・クーポンステータス／クーポン相関１０４４は、「各々の全てのクーポンステータスが１つ又はそれ以上のクーポンに関するステータス定義であってもよい」ことを規定する。
・クレジットカード種類/組織のクレジットカード相関１０４６は、「各々の全てのクレジットカード種類が１つ又はそれ以上の組織のクレジットカードに関する分類であってもよい」ことを規定する。
・クレジットカード種類／決済相関１０４８は、「各々の全てのクレジットカード種類が１つ又はそれ以上の決済に関するクレジットカード名であってもよい」ことを規定する。
・データ形式／属性データ形式相関１０５０は、「各々の全てのデータ形式が１つ又はそれ以上の属性データ形式に関する分類であってもよい」ことを規定する。
・履行種類／商品相関１０５２は、「各々の全ての履行種類が１つ又はそれ以上の商品に関する発送要件定義であってもよい」ことを規定する。
・事故ステータス／物品報告書相関１０５４は、「各々の全ての事故ステータスが１つ又はそれ以上の物品報告書に関するステータス定義であってもよい」ことを規定する。
・事故種類／事故解決相関１０５６は、「各々の全ての事故種類が１つ又はそれ以上の事故解決に関する分類であってもよい」ことを規定する。
・保険種類／保険プロフィール相関１０５８は、「各々の全ての保険種類が１つ又はそれ以上の保険プロフィールに関する保険証書の種類であってもよい」ことを規定する。
・ラベル種類／物品ラベル相関１０６２は、「各々の全てのラベル種類が１つ又はそれ以上の物品ラベルに関する分類であってもよい」ことを規定する。
・ラベル種類／ユーザラベル相関１０６４は、「各々の全てのラベル種類が１つ又はそれ以上のユーザラベルに関する分類であってもよい」ことを規定する。
・商品種類／商品相関１０６６は、「各々の全ての商品種類が１つ又はそれ以上の商品に関する類別であってもよい」ことを規定する。
・パスワードヒント／アカウントパスワード相関１０６８は、「各々の全てのパスワードヒントが１つ又はそれ以上のアカウントパスワードに関するヒント定義選択肢であってもよい」ことを規定する。
・決済方法／決済相関１０７０は、「各々の全ての決済方法が１つ又はそれ以上の決済に関する決済明細であってもよい」ことを規定する。
・決済ステータス／送り状／ショッピングカート相関１０７２は、「各々の全ての決済ステータスが１つ又はそれ以上の送り状／ショッピングカートに関するステータス定義であってもよい」ことを規定する。
・決済ステータス／決済相関１０７４は、「各々の全ての決済ステータスが１つ又はそれ以上の決済に関するステータス定義であってもよい」ことを規定する。
・プログラムステータス／プログラム相関１０７６は、「各々の全てのプログラムステータスが１つ又はそれ以上のプログラムに関するステータス定義であってもよい」ことを規定する。
・報告書種類／物品報告書相関１０７８は、「各々の全ての報告書種類が１つ又はそれ以上の物品報告書に関する分類であってもよい」ことを規定する。
・解決ステータス／事故解決相関１０８０は、「各々の全ての解決ステータスが１つ又はそれ以上の事故解決に関するステータス定義であってもよい」ことを規定する。
【００７６】
配置１０８４
このエンティティは、最新のＢｏｏｍｅｒａｎｇｌｔデータベース実施に関する配置を管理する。国毎に異なるデータベース実施があるであろう。名前、住所、通貨、及び地域等のパラメータは、ここで管理される。このエンティティには、データベース実施毎に唯一の記録があることになる。配置１０８４は、以下の相関を有する。
・配置の住所／州／省相関１０８６は、「各々の全ての配置の住所が１つ又はそれ以上の州／省に配置できる」ことを規定する。
・配置／地域相関１０８８は、「各々の全ての配置が１つの唯一の地域で定義される必要がある」ことを規定する。
【００７７】
国１０９０
このエンティティは国家を管理する。国を表す業界標準の国及びコードを含む。国１０９０は以下の相関を有する。
・国／通貨相関１０９２は、「各々の全ての国が１つ又はそれ以上の通貨による金融取引を提供できる」ことを規定する。
・国／地域相関１０９４は、「各々の全ての国が１つ又はそれ以上の地域に関する仕様の一部であってもよい」ことを規定する。
・国／州／省相関１０９６は、「各々の全ての国が１つ又はそれ以上の州／省に分割できる」ことを規定する。
【００７８】
クーポン１０９８
このエンティティは、プログラムの割引クーポンの詳細を管理する。クーポン１０９８は以下の相関を有する。
・クーポン／取引相関１１００は、「各々の全てのクーポンが１つの唯一の取引（Ｃｏｎｔａｃｔ）に関して定義できる」ことを規定する。
・クーポン／クーポンステータス相関１１０２は、「各々の全てのクーポンが１つの唯一のクーポンステータスに関して与えることができる」ことを規定する。
・クーポン／送り状／ショッピングカート相関１１０４は、「各々の全てのクーポンが１つ又はそれ以上の送り状／ショッピングカートに関する割引であってもよい」ことを規定する。
・クーポン／送り状／ショッピングカート相関１１０６は、「各々の全てのクーポンが１つ又はそれ以上の送り状／ショッピングカート物品に使用できる」ことを規定する。
・クーポン／プログラム相関１１０８は、「各々の全てのクーポンが１つの唯一のプログラムに関して与えられる必要がある」ことを規定する。
【００７９】
通貨１１１０
このエンティティは通貨を管理する。これは各々の通貨に関する業界標準の名前及び記号を含む。通貨１１１０は以下の相関を有する。
・通貨／国相関１１１２は、「各々の全ての通貨が１つの唯一の国に関する合法的通貨である必要がある」ことを規定する。
【００８０】
事故解決１１１４
このエンティティは、システム内の事故解決結果を管理する。このテーブルは、特定の適合した紛失物品及び発見物品の結果を記憶し、この結果をＢｏｏｍｅｒａｎｇｌｔ管理者、発見者、又はその物品の所有者に提示するために使用される。事故解決１１１４は以下の相関を有する。
・事故解決の取引住所／州／省相関１１１６は、「各々の全ての事故解決の取引住所が１つの唯一の州／省に位置することができる」ことを規定する。
・事故解決／発見物品相関１１１８は、「各々の全ての事故解決が発見物品を１つの唯一の発見物品と特定するものである必要がある」ことを規定する。
・事故解決／発見物品報告書物品相関１１２０は、「各々の全ての事故解決が発見物品を１つの唯一の発見物品報告書物品と特定するものである必要がある」ことを規定する。
・事故解決／事故種類相関１１２２は、「各々の全ての事故解決が１つの唯一の事故種類によって分類される必要がある」ことを規定する。
・事故解決／発見物品相関１１２４は、「各々の全ての事故解決が紛失物品を１つの唯一の紛失物品と特定するものである必要がある」ことを規定する。
・事故解決／紛失物品報告書物品相関１１２６は、「各々の全ての事故解決が紛失物品を１つの唯一の紛失物品報告書物品と特定するものである必要がある」ことを規定する。
・事故解決／解決ステータス相関１１２８は、「各々の全ての事故解決が１つの唯一の解決ステータスで定義される必要がある」ことを規定する。
【００８１】
保険プロフィール１１３０
このエンティティは、システムのユーザの保険プロフィールを管理する。保険プロフィール１１３０は以下の相関を有する。
・保険仲介業者住所／州／省相関１１３２は、「各々の全ての保険仲介業者の住所が１つの唯一の州／省に位置することができる」ことを規定する。
・保険プロフィール／保険種類相関１１３４は、「各々の全ての保険プロフィールが１つの唯一の保険種類によって類別される必要がある」ことを規定する。
・保険プロフィール／組織相関１１３６は、「各々の全ての保険プロフィールが１つの唯一の組織をカバーする必要がある」ことを規定する。
・保険プロフィール／ユーザアカウント相関１１３８は、「各々の全ての保険プロフィールが１つの唯一のユーザアカウントをカバーする必要がある」ことを規定する。
【００８２】
送り状変更１１４０
このエンティティは、送り状変更を管理する。送り状変更１１４０は、以下の相関を有する。
・送り状変更／変更種類相関１１４２は、「各々の全ての送り状変更が１つの唯一の変更種類によって分類される必要がある」ことを規定する。
・送り状変更／送り状／ショッピングカート相関１１４４は、「各々の全ての送り状変更が１つの唯一の送り状／ショッピングカートに対して適用される必要がある」ことを規定する。
【００８３】
送り状／ショッピングカート１１４６
このエンティティは、現金決済、クレジットカード決済、請求書発行後の決済であるかを問わず、システム内の一切の受取勘定作業を管理する。全ての決済作業は、送り状エンティティを介して行われる。
【００８４】
このエンティティは、ショッピングカート及び送り状の両方に使用される。購入時点で、ショッピングカートの内容は有効であり、自動的に送り状に変換される。これは、両方のエンティティが同一情報を含むので効率的に行われる。
【００８５】
このエンティティは、各々の買物客に関するショッピングカートを管理する。１つの実施形態において、登録ユーザのみが買い物をすることができる。既定値（クレジットカードによる決済、及び請求書発送／発送先住所）が組織エンティティから取得される。注文が確定すると送り状が作成される。決済が問題なく処理されると、送り状が作成され、所要の製品及びサービスが組織に関するデータベースで作成され、注文が破棄されると注文物品が削除される。
【００８６】
全てのショッピングカートは永続的であるので、任意の所定ユーザのショッピングカートは一旦作成されるとシステム上に常に残ることになる。
【００８７】
送り状は、登録、取引、及び製品購入の任意の組み合わせに対して作成されることになる。最後の作業の決済ステータス及び決済条件は、便宜上、送り状レベルで非正規化される。送り状／ショッピングカート１１４６は以下の相関を有する。
・送り状／ショッピングカート請求書送付先住所／州／省相関１１４８は、「各々の全ての送り状／ショッピングカート請求書送付先住所が１つの唯一の州／省に位置することができる」ことを規定する。
・送り状／ショッピングカート発送先住所／州／省相関１１５０は、「各々の全ての送り状／ショッピングカート発送先住所が１つの唯一の州／省に位置することができる」ことを規定する。
・送り状／ショッピングカート／クーポン相関１１５２は、「各々の全ての送り状／ショッピングカートが１つの唯一のクーポンによって割引することができる」ことを規定する。
・送り状／ショッピングカート／送り状変更相関１１５４は、「各々の全ての送り状／ショッピングカートが１つ又はそれ以上の送り状変更の対象であってもよい」ことを規定する。
・送り状／ショッピングカート／送り状／ショッピングカート物品相関１１５６は、「各々の全ての送り状／ショッピングカート物品が１つ又はそれ以上の送り状／ショッピングカート物品で構成されてもよい」ことを規定する。
・送り状／ショッピングカート／組織相関１１５８は、「各々の全ての送り状／ショッピングカートが１つの唯一の組織に与えられる必要がある」ことを規定する。
・送り状／ショッピングカート／決済相関１１６０は、「各々の全ての送り状／ショッピングカートが１つ又はそれ以上の決済によって支払うことができる」ことを規定する。
・送り状／ショッピングカート／決済ステータス相関１１６２は、「各々の全ての送り状／ショッピングカートが１つの唯一の決済ステータスに関して与えられる必要がある」ことを規定する。
・送り状／ショッピングカート／発送相関１１６４は、「各々の全ての送り状／ショッピングカートが１つ又はそれ以上の発送によって実現できる」ことを規定する。
・送り状／ショッピングカート／税金コード相関１１６６は、「各々の全ての送り状／ショッピングカートが１つの唯一の税金コードによって売上税の対象であってもよい」ことを規定する。
・送り状／ショッピングカート／ユーザアカウント相関１１７０は、「各々の全ての送り状／ショッピングカートが１つの唯一のユーザアカウントに対して与えられる必要がある」ことを規定する。
【００８８】
送り状／ショッピングカート物品１１７２
このエンティティは、送り状／ショッピングカートに関する各種の物品を管理する。送り状／ショッピングカート物品１１７２は以下の相関を有する。
・送り状／ショッピングカート物品／起動相関１１７４は、「各々の全ての送り状／ショッピングカート物品が１つ又はそれ以上の起動を含む物品であってもよい」ことを規定する。
・送り状／ショッピングカート物品／クーポン相関１１７６は、「各々の全ての送り状／ショッピングカート物品が１つの唯一のクーポンを使用してもよい」ことを規定する。
・送り状／ショッピングカート物品／送り状／ショッピングカート相関１１７８は、「各々の全ての送り状／ショッピングカート物品が１つ又はそれ以上の送り状／ショッピングカートの一部である必要がある」ことを規定する。
・送り状／ショッピングカート物品／商品相関１１８０は、「各々の全ての送り状／ショッピングカート物品が１つ又はそれ以上の商品に関する送り状項目である必要がある」ことを規定する。
・送り状／ショッピングカート物品／発送物品相関１１８２は、「各々の全ての送り状／ショッピングカート物品が１つ又はそれ以上の発送物品によって実現できる」ことを規定する。
【００８９】
物品１１８４
このエンティティは、システム内の物品（紛失、発見、登録等）を管理する。物品は、物品定義エンティティを使用して定義される。物品１１８４は以下の相関を有する。
・発見物品／事故解決相関１１８６は、「各々の全ての発見物品が１つ又はそれ以上の事故解決に関する発見物品と特定されることができる」ことを規定する。
・物品／物品属性値相関１１８８は、「各々の全ての物品が１つ又はそれ以上の物品属性値によって定義される必要がある」ことを規定する。
・物品／物品定義相関１１９０は、「各々の全ての物品が１つの唯一の物品定義によって分類される必要がある」ことを規定する。
・物品／物品ラベル相関１１９２は、「各々の全ての物品が１つ又はそれ以上の物品ラベルで特定することができる」ことを規定する。
・物品／物品登録相関１１９４は、「各々の全ての物品が１つ又はそれ以上の物品登録でカバーできる」ことを規定する。
・物品／物品報告書物品相関１１９６は、「各々の全ての物品が１つ又はそれ以上の物品報告書物品の対象であってもよい」ことを規定する。
・物品／組織相関１１９８は、「各々の全ての物品が１つの唯一の組織によって入力される必要がある」ことを規定する。
・物品検索結果相関１２００は、「各々の全ての物品が１つ又はそれ以上の検索結果の対象であってもよい」ことを規定する。
・物品／ユーザアカウント相関１２０４は、「各々の全ての物品が１つの唯一のユーザアカウントによって入力される必要がある」ことを規定する。
・紛失物品／事故解決相関１２０６は、「各々の全ての紛失物品が１つ又はそれ以上の事故解決内の紛失物品と特定されることができる」ことを規定する。
【００９０】
物品属性定義１２０８
このエンティティは、物品属性定義を管理する。これには名前を物品テーブルの欄と関連付けることが含まれる。物品属性定義１２０８は以下の相関を有する。
・物品属性定義／属性データ形式相関１２１０は、「各々の全ての物品属性定義が１つの唯一の属性データ形式によって類別される必要がある」ことを規定する。
・物品属性定義／物品属性名相関１２１２は、「各々の全ての物品属性定義が１つの唯一の物品属性名によって特定される必要がある」ことを規定する。
・物品属性定義／物品属性値相関１２１４は、「各々の全ての物品属性定義が１つ又はそれ以上の物品属性値の種類を定義するために使用することができる」ことを規定する。
・物品属性定義／物品定義相関１２１６は、「各々の全ての物品属性定義が１つの唯一の物品定義を対象としてもよい」ことを規定する。
【００９１】
物品属性名１２１８
このエンティティは、物品属性名の定義を管理する。別個のエンティティは多言語を促進するために必要とされる。物品属性名１２１８は以下の相関を有する。
・物品属性名／物品属性定義相関１２２０は、「各々の全ての物品属性名が１つ又はそれ以上の物品属性定義を有することができる」ことを規定する。
【００９２】
物品属性値１２２２
このエンティティは、システム内の物品属性値を管理する。記録は、属性が所定の物品に対する値を有する場合にのみ存在する。物品属性値１２２２は以下の相関を有する。
・物品属性値／属性コード相関１２２４は、「各々の全ての物品属性値が１つの唯一の属性コードを利用できる」ことを規定する。
・物品属性値／属性ユーザコード相関１２２６は、「各々の全ての物品属性値が１つの唯一の属性ユーザコードを利用できる」ことを規定する。
・物品属性値／物品相関１２２８は、「各々の全ての物品属性値が１つの唯一の物品の属性値を指定する必要がある」ことを規定する。
・物品属性値／物品属性定義相関１２３０は、「各々の全ての物品属性値が１つの唯一の物品属性定義に関する定義である必要がある」ことを規定する。
【００９３】
物品類別名１２３２
このエンティティは、物品類別名定義を管理する。別個のエンティティは、多言語を助長するために必要とされる。物品類別名１２３２は以下の相関を有する。
・物品類別名／物品サブ類別名相関１２３４は、「各々の全ての物品類別名が１つ又はそれ以上の物品サブ類別名に関する分類であってもよい」ことを規定する。
【００９４】
物品定義１２３６
このエンティティは、物品定義を管理する。これにはサポートされた物品（自転車や自動車等）及び各々の物品種類の属性が含まれる。物品類別名１２３２は以下の相関を有する。
・物品定義／物品相関１２３８は、「各々の全ての物品定義が１つ又はそれ以上の物品に関する種類を分類することができる」ことを規定する。
・物品定義／物品属性定義相関１２４０は、「各々の全ての物品定義が１つ又はそれ以上の物品属性定義を有することができる」ことを規定する。
・物品定義／物品サブ類別名相関１２４２は、「各々の全ての物品定義が１つの唯一の物品サブ類別名によって分類される必要がある」ことを規定する。
【００９５】
物品ラベル１２４４
このエンティティは、登録物品に付されたラベルを管理する。異なるラベルはラベル種類によって定義される。物品ラベル１２４４は以下の相関を有する。
・物品ラベル／物品相関１２４６は、「各々の全ての物品ラベルが１つの唯一の物品に取り付けられる必要がある」ことを規定する。
・物品ラベル／ラベル種類相関１２４８は、「各々の全ての物品ラベルが１つの唯一のラベル種類によって分類される必要がある」ことを規定する。
【００９６】
物品登録１２５０
このエンティティは、物品と起動（登録）エンティティの多対多の相関を管理する。起動がユーザ登録サービスに関するものである場合、物品はユーザ物品でありユーザの有効な登録の１つを消滅させる。登録がビジネス対ビジネス（Ｂ２Ｂ）プログラムに関するものである場合、物品は、既定のパラメータを含むプログラム内で資格のある組織物品である。物品登録１２５０は以下の相関を有する。
・物品登録／起動相関１２５２は、「各々の全ての物品登録が１つの唯一の起動に対して登録される必要がある」ことを規定する。
・物品登録／物品相関１２５４は、「各々の全ての物品登録が１つの唯一の物品をカバーする必要がある」ことを規定する。
【００９７】
物品報告書１２５６
このエンティティは、ユーザによって定義された報告書を管理する。これらの報告書は、報告書種類別に回収され、紛失、発見、保管等を含む。報告書は、実際の物理的な報告書と同意語である。物品報告書１２５６は以下の相関を有する。
・物品報告書の事故住所／州／省相関１２５８は、「各々の全ての物品報告書の事故住所が１つの唯一の州／省内に定めることができる」ことを規定する。
・物品報告書の保険仲介業者住所／州／省相関１２６０は、「各々の全ての物品報告書の保険仲介業者住所が１つの唯一の州／省に定めることができる」ことを規定する。
・物品報告書の警察署住所／州／省相関１２６２は、「各々の全ての物品報告書の警察署住所が１つの唯一の州／省に定めることができる」ことを規定する。
・物品報告書のユーザ住所／州／省相関１２６４は、「各々の全ての物品報告書のユーザ住所が１つの唯一の州／省に定めることができる」ことを規定する。
・物品報告書の目撃者住所／州／省相関１２６６は、「各々の全ての物品報告書の目撃者住所が１つの唯一の州／省に定めることができる」ことを規定する。
・物品報告書／事故ステータス相関１２６８は、「各々の全ての物品報告書が１つの唯一の事故ステータスで届けを出すことができる」ことを規定する。
・物品報告書／物品報告書物品相関１２７０は、「各々の全ての物品報告書が１つ又はそれ以上の物品報告書物品に関する文書であってもよい」ことを規定する。
・物品報告書／組織相関１２７２は、「各々の全ての物品報告書が１つの唯一の組織によって届け出される必要がある」ことを規定する。
・物品報告書／報告書種類相関１２７４は、「各々の全ての物品報告書が１つの唯一の報告書種類によって分類される必要がある」ことを規定する。
・物品報告書／ユーザアカウント相関１２７８は、「各々の全ての物品報告書が１つの唯一のユーザアカウントによって届け出される必要がある」ことを規定する。
【００９８】
物品報告書物品１２８０
このエンティティは、物品報告書に登場する物品を管理する。各々の報告書は、少なくとも１つの物品を有する必要がある。物品は、複数の報告書に登場する場合がある。物品報告書物品１２８０は以下の相関を有する。
・発見物品報告書物品／事故解決相関１２８２は、「各々の全ての発見物品報告書物品が１つの唯一の事故解決で発見物品として特定されることができる」ことを規定する。
・物品報告書物品／物品相関１２８４は、「各々の全ての物品報告書物品が１つの唯一の物品に関する参照である必要がある」ことを規定する。
・物品報告書物品／物品報告書相関１２８６は、「各々の全ての物品報告書物品が１つの唯一の物品報告書の対象である必要がある」ことを規定する。
・物品報告書物品／検索結果相関１２８８は、「各々の全ての物品報告書が１つ又はそれ以上の検索結果として発見物品を特定することができる」ことを規定する。
・紛失物品報告書物品／事故解決相関１２９０は、「各々の全ての紛失物品報告書物品が１つ又はそれ以上の事故解決における紛失物品として特定されることができる」ことを規定する。
【００９９】
物品サブ類別名１２９２
このエンティティは、物品サブ類別名定義を管理する。別個のエンティティは、多言語を助長するために必要とされる。物品サブ類別名１２９２は以下の相関を有する。
・物品サブ類別名／物品類別名相関１２９４は、「各々の全ての物品サブ類別名が１つの唯一の物品類別名によって分類される必要がある」ことを規定する。
・物品サブ類別名／物品定義相関１２９６は、「各々の全ての物品サブ類別名が１つ又はそれ以上の物品定義に関する分類であってもよい」ことを規定する。
【０１００】
言語１２９８
このエンティティは言語を管理する。業界標準の言語及びコードを含む。言語１２９８は以下の相関を有する。
・言語／地域相関１３００は、「各々の全ての言語が１つ又はそれ以上の地域に関する仕様の一部であってもよい」ことを規定する。
【０１０１】
地域１３０２
このエンティティは、国及び言語の組み合わせである地域を管理する。これは業界標準の地域及びコードを含む。地域１３０２は以下の相関を有する。
・地域／配置相関１３０４は、「各々の全ての地域が１つ又はそれ以上の配置に関する既定の言語仕様であってもよい」ことを規定する。
・地域／国相関１３０６は、「各々の全ての地域が１つの唯一の国家に含まれる必要がある」ことを規定する。
・地域／言語相関１３０８は、「各々の全ての地域が１つの唯一の言語を含む必要がある」ことを規定する。
【０１０２】
商品１３１０
このエンティティは、Ｂｏｏｍｅｒａｎｇｌｔ．ｃｏｍの店舗で一般人及び企業が入手できる種々の製品、サービス、及びプログラムの定義を管理する。プログラム及びサービスには、Ｂ２Ｂプログラム及び消費者サービス（物品登録）が含まれる。製品は、ラベル、ペン、ステンシル、Ｔシャツ等とすることができる。プログラムは、組織を対象とする承認されたＢ２ＢＢｏｏｍｅｒａｎｇｌｔサービスである。商品１３１０は以下の相関を有する。
・商品／起動相関１３１２は、「各々の全ての商品が１つ又はそれ以上の起動の対象であってもよい」ことを規定する。
・商品／消費者種類相関１３１４は、「各々の全ての商品が１つの唯一の消費者種類によって類別される必要がある」ことを規定する。
・商品／履行種類相関１３１６は、「各々の全ての商品が１つの唯一の履行種類別に発送される必要がある」ことを規定する。
・商品／送り状／ショッピングカート物品相関１３１８は、「各々の全ての商品が１つ又はそれ以上の送り状／ショッピングカート物品において参照することができる」ことを規定する。
・商品／商品種類相関１３２０は、「各々の全ての商品が１つの唯一の商品種類によって類別される必要がある」ことを規定する。
・商品／プログラム相関１３２２は、「各々の全ての商品が１つ又はそれ以上のプログラムに関するプログラム定義であってもよい」ことを規定する。
・商品／プログラム商品相関１３２４は、「各々の全ての商品が１つ又はそれ以上のプログラム商品において参照することができる」ことを規定する。
【０１０３】
組織１３２６
このエンティティは、個人、家族、夫婦、代理店（ＣＩＡ）、消防署、製造業者、ＩＢＤ等を管理する。実質的に、全てのエンティティは分類によって特定される。主要取引情報及び請求書送付情報を含む。各々の組織は、１つの対応する主要取引（又はユーザ）を有する必要がある。組織１３２６は以下の相関を有する。
・組織の住所／州／省相関１３２８は、「各々の全ての組織の住所が１つの唯一の州／省に定めることができる」ことを規定する。
・組織の請求書送付住所／州／省相関１３３０は、「各々の全ての組織の請求書送付住所が１つの唯一の州／省に定めることができる」ことを規定する。
・組織のクレジットカード／クレジットカード種類相関１３３２は、「各々の全ての組織のクレジットカードが１つの唯一のクレジットカード種類によって特定できる」ことを規定する。
・組織発送住所／州／省相関１３３４は、「各々の全ての組織発送住所が１つの唯一の州／省に定めることができる」ことを規定する。
・組織／起動相関１３３６は、「各々の全ての組織が１つ又はそれ以上の起動の所有者であってもよい」ことを規定する。
・組織／属性ユーザコード相関１３３８は、「各々の全ての組織が１つ又はそれ以上の属性ユーザコードの所有者であってもよい」ことを規定する。
・組織／分類相関１３４０は、「各々の全ての組織が１つの唯一の分類によって類別される必要がある」ことを規定する。
・組織／保険プロフィール相関１３４２は、「各々の全ての組織が１つ又はそれ以上の保険プロフィールでカバーできる」ことを規定する。
・組織／保険／ショッピングカート相関１３４４は、「各々の全ての組織が１つ又はそれ以上の保険／ショッピングカートを与えられることができる」ことを規定する。
・組織／物品相関１３４６は、「各々の全ての組織が１つ又はそれ以上の物品の所有者であってもよい」ことを規定する。
・組織／物品報告書相関１３４８は、「各々の全ての組織が１つ又はそれ以上の物品報告書を届け出ることができる」ことを規定する。
・組織／組織相関１３５０は、「各々の全ての組織が１つ又はそれ以上の組織の本社であってもよい」ことを規定する。
・組織／プログラム相関１３５２は、「各々の全ての組織が１つ又はそれ以上のプログラムを付与されることができる」ことを規定する。
・組織／検索結果相関１３５４は、「各々の全ての組織が１つ又はそれ以上の検索結果を与えられることができる」ことを規定する。
・組織／発送相関１３５６は、「各々の全ての組織が１つ又はそれ以上の発送品を送付されることができる」ことを規定する。
・組織／ユーザアカウント相関１３６０は、「各々の全ての組織が１つ又はそれ以上のユーザアカウントに関する団体である必要がある」ことを規定する。
・組織／ユーザラベル相関１３６２は、「各々の全ての組織が１つ又はそれ以上のユーザラベルの所有者であってもよい」ことを規定する。
【０１０４】
決済１３６４
このエンティティは、決済作業送り状を管理する。決済１３６４は、以下の相関を有する。
・決済／クレジットカード種類相関１３６６は、「各々の全ての決済が１つの唯一のクレジットカード種類で決済されることができる」ことを規定する。
・決済／ショッピングカート相関１３６８は、「各々の全ての決済が１つの唯一の決済方法で決済される必要がある」ことを規定する。
・決済／決済ステータス相関１３７２は、「各々の全ての決済が１つの唯一の決済ステータスによって分類される必要がある」ことを規定する。
【０１０５】
プログラム１３７４
プログラムは、組織に関する承認されたＢ２ＢＢｏｏｍｅｒａｎｇｌｔサービスである。このエンティティは、プログラムの詳細を管理する。プログラム１３７４は以下の相関を有する。
・プログラム／起動相関１３７６は、「各々の全てのプログラムが１つ又はそれ以上の起動を介して起動することができる」ことを規定する。
・プログラム／認証取引相関１３７８は、「各々の全てのプログラムが１つの唯一の認証取引で定義される必要がある」ことを規定する。
・プログラム／取引相関１３８０は、「各々の全てのプログラムが１つの唯一の取引で定義される必要がある」ことを規定する。
・プログラム／クーポン相関１３８２は、「各々の全てのプログラムが１つ又はそれ以上のクーポンに対して与えられることができる」ことを規定する。
・プログラム／商品相関１３８４は、「各々の全てのプログラムが１つの唯一の商品の実体である必要がある」ことを規定する。
・プログラム／組織相関１３８６は、「各々の全てのプログラムが１つの唯一の組織によって要求される必要がある」ことを規定する。
・プログラム／プログラム商品相関１３８８は、「各々の全てのプログラムが１つ又はそれ以上のプログラム商品において参照されることができる」ことを規定する。
・プログラム／プログラムステータス相関１３９０は、「各々の全てのプログラムが１つの唯一のプログラムステータスで定義される必要がある」ことを規定する。
【０１０６】
プログラム商品１３９２
このエンティティは、相手先商標製品の製造会社（ＯＥＭ）プログラム及び割引プログラム等のプログラムに関する商品（登録証書等）の詳細を管理する。また、小売りプログラムのラベル製造番号範囲（接頭語及び接尾語を含む）を処理する。プログラム商品１３９２は以下の相関を有する。
・プログラム商品／商品相関１３９４は、「各々の全てのプログラム商品が１つの唯一の商品で参照される必要がある」ことを規定する。
・プログラム商品／プログラム相関１３９６は、「各々の全てのプログラム商品が１つの唯一のプログラムを参照する必要がある」ことを規定する。
【０１０７】
検索結果１３９８
このエンティティは、システム内の物品検索結果を管理する。このテーブルは、検索結果セットを一時的に記憶して、結果をソート順でユーザに呈示するために使用される。検索結果１３９８は以下の相関を有する。
・検索結果／物品相関１４００は、「各々の全ての検索結果が１つの唯一の物品を戻すことができる」ことを規定する。
・検索結果／物品報告書物品相関１４０２は、「各々の全ての検索結果が適合する物品として１つの唯一の物品報告書物品を特定することができる」ことを規定する。
・検索結果／組織相関１４０４は、「各々の全ての検索結果が１つの唯一の組織に与えられる必要がある」ことを規定する。
・検索結果／ユーザアカウント相関１４０６は、「各々の全ての検索結果が１つの唯一のユーザアカウントに与えられる必要がある」ことを規定する。
【０１０８】
発送１４０８
このエンティティは、送り状の発注物品に関する履行（発送）を管理する。送り状では、２つ以上の発送が履行されることを要求することができる。この発送エンティティは、履行担当者及び日付を追跡する。発送１４０８は以下の相関を有する。
・発送／送り状／ショッピングカート相関１４１０は、「各々の全ての発送が１つの唯一の送り状／ショッピングカートに関する履行であってもよい」ことを規定する。
・発送／組織相関１４１２は、「各々の全ての発送が１つの唯一の組織に送付される必要がある」ことを規定する。
・発送／発送物品相関１４１４は、「各々の全ての発送が１つ又はそれ以上の発送物品を含んでもよい」ことを規定する。
・発送／ユーザアカウント相関１４１６は、「各々の全ての発送が１つの唯一のユーザアカウントに送付される必要がある」ことを規定する。
【０１０９】
発送物品１４１８
このエンティティは、発送に含まれる物品を管理する。発送物品１４１８は以下の相関を有する。
・発送物品／送り状／ショッピングカート物品相関１４２０は、「各々の全ての発送物品が１つの唯一の送り状／ショッピングカート物品に関する履行である必要がある」ことを規定する。
・発送物品／発送相関１４２２は、「各々の全ての発送物品が１つの唯一の発送の構成要素である必要がある」ことを規定する。
【０１１０】
州／省１４２４
このエンティティは、所定の国家に関する州及び／又は省等の地理上の下位区分を管理する。業界標準の略語が記憶される。州／省１４２４は以下の相関を有する。
・州／省／配置の住所相関１４２６は、「各々の全ての州／省が１つ又はそれ以上の配置の住所に関する位置であってもよい」ことを規定する。
・州／省／国家相関１４２８は、「各々の全ての州／省が１つの唯一の国家の区分である必要がある」ことを規定する。
・州／省／事故解決の連絡住所相関１４３０は、「各々の全ての州／省が１つ又はそれ以上の事故解決の連絡住所に対応する位置であってもよい」ことを規定する。
・州／省／保険仲介業者住所相関１４３２は、「各々の全ての州／省が１つ又はそれ以上の保険仲介業者住所に関する位置であってもよい」ことを規定する。
・州／省／送り状／ショッピングカートの請求書送付住所相関１４３４は、「各々の全ての州／省が１つ又はそれ以上の送り状／ショッピングカート請求書送付住所に関する位置であってもよい」ことを規定する。
・州／省／送り状／ショッピングカート発送住所相関１４３６は、「各々の全ての州／省が１つ又はそれ以上の送り状／ショッピングカート発送住所に関する位置であってもよい」ことを規定する。
・州／省／物品報告書の事故住所相関１４３８は、「各々の全ての州／省が１つ又はそれ以上の物品報告書の事故発生住所に関する位置であってもよい」ことを規定する。
・州／省／物品報告書の保険仲介業者住所相関１４４０は、「各々の全ての州／省が１つ又はそれ以上の物品報告書の保険仲介業者住所に関する位置であってもよい」ことを規定する。
・州／省／物品報告書の警察署住所１４４２は、「各々の全ての州／省が１つ又はそれ以上の物品報告書の警察署住所に関する位置であってもよい」ことを規定する。
・州／省／物品報告書のユーザ住所相関１４４４は、「各々の全ての州／省が１つ又はそれ以上の物品報告書のユーザ住所に関する位置であってもよい」ことを規定する。
・州／省／物品報告書の目撃者住所相関１４４６は、「各々の全ての州／省が１つ又はそれ以上の物品報告書の目撃者住所に関する位置であってもよい」ことを規定する。
・州／省／組織の住所相関１４４８は、「各々の全ての州／省が１つ又はそれ以上の組織の住所に関する位置であってもよい」ことを規定する。
・州／省／組織の請求書送付住所相関１４５０は、「各々の全ての州／省が１つ又はそれ以上の組織の請求書送付住所に関する位置であってもよい」ことを規定する。
・州／省／組織の発送住所相関１４５２は、「各々の全ての州／省が１つ又はそれ以上の組織の発送住所に関する位置であってもよい」ことを規定する。
・州／省／ユーザの運転免許証相関１４５４は、「各々の全ての州／省が１つ又はそれ以上のユーザ運転免許証に関する位置であってもよい」ことを規定する。
【０１１１】
税金コード１４５６
このエンティティは、Ｂｏｏｍｅｒａｎｇｌｔ店舗及び送り状の売上税を管理する。１つの実施形態において、この値はドロップダウンリストボックスを使用して制限される。税金コード１４５６は以下の相関を有する。
・税金コード／送り状／ショッピングカート相関１４５８は、「各々の全ての税金コードが１つ又はそれ以上の送り状／ショッピングカートに関する売上税であってもよい」ことを規定する。
【０１１２】
ユーザアカウント１４８０
このエンティティは、有効又は期限切れを問わずアカウントを有する全てのユーザ、及びユーザのログイン情報及びパスワード情報を管理する。これらのユーザは、ある時点でアカウントを受け取るために登録済みである必要がある。システムの全ての作業はユーザによって行われる必要がある。全ての作業は、データベース内でユーザに対して自動的に記録されることができる。ユーザアカウント１４８０は以下の相関を有する。
・アカウントパスワード／パスワードヒント相関１４８２は、「各々の全てのアカウントパスワードが１つの唯一のパスワードヒントによって類別される必要がある」ことを規定する。
・認証取引／プログラム相関１４８４は、「各々の全ての認証取引が１つ又はそれ以上のプログラムに関する認証取引であってもよい」ことを規定する。
・取引／クーポン相関１４８６は、「各々の全ての取引が１つ又はそれ以上のクーポンに関する取引であってもよい」ことを規定する。
・取引／プログラム相関１４８８は、「各々の全ての取引が１つ又はそれ以上のプログラムに関する取引であってもよい」ことを規定する。
・ユーザアカウント／起動相関１４９０は、「各々の全てのユーザアカウントが１つ又はそれ以上の起動の所有者であってもよい」ことを規定する。
・ユーザアカウント／属性ユーザコード相関１４９２は、「各々の全てのユーザアカウントが１つ又はそれ以上の属性ユーザコードの所有者であってもよい」ことを規定する。
・ユーザアカウント／保険プロフィール相関１９４９は、「各々の全てのユーザアカウントが１つ又はそれ以上の保険プロフィールをカバーできる」ことを規定する。
・ユーザアカウント／送り状／ショッピングカート相関１４９６は、「各々の全てのユーザアカウントが１つ又はそれ以上の送り状／ショッピングカートを与えることができる」ことを規定する。
・ユーザアカウント／物品相関１４９８は、「各々の全てのユーザアカウントが１つ又はそれ以上の物品報告書を届け出ることができる」ことを規定する。
・ユーザアカウント／組織相関１５０２は、「各々の全てのユーザアカウントが１つの唯一の組織の一部である必要がある」ことを規定する。
・ユーザアカウント／検索結果相関１５０４は、「各々の全てのユーザアカウントが１つ又はそれ以上の検索結果を与えることができる」ことを規定する。
・ユーザアカウント／発送相関１５０６は、「各々の全てのユーザアカウントが１つ又はそれ以上の発送物品を送ることができる」ことを規定する。
・ユーザアカウント／ユーザラベル相関１５１０は、「各々の全てのユーザアカウントが１つ又はそれ以上のユーザラベルの所有者であってもよい」ことを規定する。
・ユーザアカウント／ユーザ役割相関１５１２は、「各々の全てのユーザアカウントが１つの唯一のユーザ役割に割り当てられる必要がある」ことを規定する。
・ユーザアカウント／ユーザセッション相関１５１４は、「各々の全てのユーザアカウントが１つ又はそれ以上のユーザセッション開始者であってもよい」ことを規定する。
・ユーザアカウント／ウェブヒット相関１５２０は、「各々の全てのユーザアカウントが１つ又はそれ以上のウェブヒットの対象であってもよい」ことを規定する。
・ユーザ運転免許証／州／省相関１５２０は、「各々の全てのユーザの運転免許証が１つの唯一の州／省で取得できる」ことを規定する。
【０１１３】
ユーザラベル１５２２
このエンティティは、ユーザ（加入者）に送られたラベルを管理する。ラベル種類によって異なるラベルが定義される。ユーザラベル１５２２は以下の相関を有する。
・ユーザラベル／ラベル種類相関１５２４は、「各々の全てのユーザラベルが１つの唯一のラベル種類によって分類される必要がある」ことを規定する。
・ユーザラベル／組織相関１５２６は、「各々の全てのユーザラベルが１つの唯一の組織によって購入される必要がある」ことを規定する。
・ユーザラベル／ユーザアカウント相関１５２８は、「各々の全てのユーザラベルが１つの唯一のユーザアカウントによって購入される必要がある」ことを規定する。
【０１１４】
ユーザ役割１５３０
このエンティティは、全てのＢｏｏｍｅｒａｎｇｌｔユーザの役割を管理する。この役割は、種々のウェブサイト機能を実行する特権を管理する。ユーザ役割１５３０は以下の相関を有する。
・ユーザ役割／ユーザアカウント相関１５３２は、「各々の全てのユーザ役割が１つ又はそれ以上のユーザアカウントに付与されることができる」ことを規定する。
【０１１５】
ユーザセッション１５３４
このエンティティは、ユーザのＢｏｏｍｅｒａｎｇｌｔセッションを管理する。ユーザがＢｏｏｍｅｒａｎｇｌｔウェブサイトを訪れるたびに作成される独自のセッション番号を使用する。セッションを管理する匿名の抽象的な方法をもたらす。セッション満了を管理するために満了タイムスタンプが使用される。ユーザセッション１５３４は以下の相関を有する。
・ユーザセッション／ユーザアカウント相関１５３６は、「各々の全てのユーザセッションが１つの唯一のユーザアカウントによって開始される必要がある」ことを規定する。
【０１１６】
ウェブヒット１５３８
このエンティティは、ユーザがＢｏｏｍｅｒａｎｇｌｔ．Ｃｏｍサイトの任意のウェブページへのアクセス毎に記録する。
・ウェブヒット／ユーザアカウント相関１５４０は、「各々の全てのウェブヒットが１つの唯一のユーザアカウントによって生じてもよい」ことを規定する。
【０１１７】
ウェブ報告書１５４２
このエンティティは、システム内の全てのウェブ報告書を管理する。ウェブ報告書は、ウェブを介してオンラインで実施されるように設計されている。ウェブ報告書１５４２は相関が全くない。
【０１１８】
テーブルコラム１５４４
このエンティティは、全てのデータベーステーブル及びコラムの定義を管理する。ウェブ報告書に使用される。このテーブルは、データベース作成時に自動的にデータが記入される。テーブルコラム１５４４は相関が全くない。
【０１１９】
前述したように、本発明によって開発されたシステムは、従来技術の方法に対して多数の新しい特徴及び利点を有し、その一部を以下に詳細に説明する。
【０１２０】
動的総合的属性データベース
本発明のデータベースは、物品種類及び属性を説明するエンティティ（テーブル）と、これらのテーブルを使用してデータにアクセスして表示するための手順とを含む点で動的である。管理者は、データベースの再プログラミング又はデータベーススキーマの再設計を必要とすることなく、常に属性を追加、削除、又は変更することができる。本発明のデータベースは総合的なものである。これはまだ発明されていない物品や属性が発達中の物品を含む複数の物品種類のサポートを提供する。
【０１２１】
ユーザ定義型属性値
一般的に、属性値は、固定の属性リストから選択する必要がある。正しい値がリストにない場合、ユーザは、不正確な値を入力することを強いられるか又は続行できなくなる。本発明の目的の１つは、ユーザが、固定的な選択が適切でない場合に「他」の類別における正確な値を定義することができる点にある。これにより統合されたフィードバック機構がもたらされる。管理者は、随時「他」の類別値を見直して、より一般的な値を包含するように値セットを更新することができる。手順は、属性記録を更新して、新しいコードを使用して「他」の値をクリアするように実行されることができ、データベースをより検索可能にすると共により有用なものにすることができる。
【０１２２】
密接適合検索
本発明は、密接に関連するが属性が不明であるか又は曖昧なので厳密に適合しないであろう物品の適合方法を提供する。
【０１２３】
自動検索及び決済
本発明は、適合するものを自動的かつ継続的に検索して、人手を大幅に低減して時機を得た結果をもたらす。また、システムは、決済を行うための人的介入要件を低減するのでサービスを行うオーバーヘッドが低減する。
【０１２４】
製品系統
組織−所有物−個人モデルに基づく属性データベースにより、所有物を工場での製造から廃棄まで、又はその間の任意の時間区域を追跡することができる。複数の所有者リストは、タイトルチェーンを備えることになる。製造、保証会社、保険会社、及び法執行機関と物品との相関を全て追跡することができる。
【０１２５】
世界的規模の登録システム
本発明は、世界的規模の登録を可能にする。所有物が紛失品又は盗難品となった場合、本発明は、警察及び善良な市民を含む、行方不明所有物の探知器のための情報センタを提供して所有物を所有者に返却する。
【０１２６】
本発明は、国家的データベース内の多言語をサポートし、紛失物品及び発見物品の普遍的で全世界的に検索可能な国際的な倉庫を提供する。登録システムは第三者データベースにアクセスでき、独自のデータを超えてその能力を広げることができる。システムは、行方不明所有物の所有者と発見者との間の機密保護された連絡をもたらし、所有物を返却するための安全かつ簡単な機構を提供する。
【０１２７】
適応性のあるラベルマーキング
本発明は、取り外されたラベルでも所有物の特定及び回収ができるように、最先端のラベル技術を組み込んでいる。
【０１２８】
犯罪防止及び抑止
本発明は、犯罪をリスクの伴うもの、時間のかかるもの、及び報われないものにする。窃盗犯は、ラベルを発見して取り外すのに苦労する必要がある。マークの付いた物品で捕まるのではないか心配する必要がある。工場でマーキングされた製品の大半は、質に入れること又は闇市場で販売することが難しくなる。アラームを有する人か否かにかかわらず、本発明は高い盗難抑止を可能にする。
【０１２９】
犯罪解決及び被害者への通知
本発明により、法執行機関は、多くの犯罪を解決し、短時間で犯罪に関する情報を取得し、盗難された所有物を戻すことができる。事故又は犯罪の被害者は、マークの付いた所有物によって素早く特定されて通知を受けることができる。迅速な通知は、法執行機関が完全な情報を取得して、犯人が逃げるか又は所有物や証拠を処分する前に犯人を捕まえることを助ける。企業、市民、及び法執行機関の間の連絡が改善される。
【０１３０】
別の実施及び使用
本発明は、多数の新しい登録システム技術の使用をもたらすが、以下の説明に限定されるものではない。
【０１３１】
本システムを使用してクレジットカードを追跡することができ、クレジットカード会社への行方不明クレジットカードの紛失及び回収通知を容易にするために国際的インタフェースを含むことができる。
【０１３２】
企業は、このシステムを使用して、会社の資産、特に、出張時のラップトップコンピュータ及び携帯電話を追跡することができる。本発明は、セキュリティの強化、盗難の抑止、及び、装置及びそのデータの迅速な回収をもたらす。
【０１３３】
本発明は、参加保険会社が素早く行方不明所有物又は損傷した所有物に関する請求通知及び正確な情報を受け取ることができるように組織的インタフェースを備える。
【０１３４】
個人は、登録システムを使用して、価値の高い所有物の永久的なオフサイト記録を維持することができる。
【０１３５】
本発明は、所有物に関するタイトルチェーンを提供する。質店を含む買手は、このシステムを使用して所要の報告書を作成して、盗難された所有物で保証される貸付金のリスクを低減することができる。
【０１３６】
製造業者は、このシステムを使用して、保証対応を高め、消費者及び製造業者の保証処理を簡単なものにすることができる。また、保証プログラムを提供でき、追跡することができる。
【０１３７】
ホテル、タクシ、航空会社、及び、他の旅行業者やサービス業者は、素早く返却することができるので、義務、責務、及び保管経費や処理経費を低減することができる。
【０１３８】
ウェブベースのシステム実行
本発明の実施形態は、ウェブベースのシステム、又はブラウザ及びインターネット接続を介してユーザ（又は顧客と呼ぶ）がアクセス可能なフロントエンドを含む。
【０１３９】
図１１は、本発明の実施形態によるウェブベースのシステムの概要を示す。ウェブベースのシステムは、ユーザが物品、所有物、個人財産等を登録して追跡することを可能にするウェブサイトを含む。システムは、ウェブベース／ブラウザプラットフォームを巧く利用して、インターネット接続でもって使用が簡単で世界のどこからでも好都合にアクセスできようになっている。
【０１４０】
図１２は、本発明の実施形態を更に詳細に示す。本発明は、任意の種類の物体を追跡するために使用することができ、一部が図１２に示されており、カヤックや自転車等の大きな物体、又は携帯電話やラップトップコンピュータ等の小さな物体を含むが、これらに限定されるものではない。物体のいかなる様式もシステムに登録することができる。このことは、主として本システムの新しい特徴及び固有の柔軟性に起因する。
【０１４１】
図１３は、個人用楽器及び携帯電話を含む種々の物体上への物体特定用ラベルの実装を示す。図１４に示すように、これらのラベルは、いたずら防止となるように又は幅広い用途のために、種々の大きさで利用できるように設計できる。ラベルは、各々の物体、物体グループ、又は所有者に固有とすることができる識別番号をもつことができ、また、物体が発見された場合に使用する連絡用番号又はＵＲＬ（Ｕｎｉｆｏｒｍ  Ｒｅｓｏｕｒｃｅ  Ｌｏｃａｔｏｒ）を含むことができる。
【０１４２】
物体又は物品が登録された場合、この物体に関する情報を記録して、システム内の固有の識別番号に参照することができる。図１５に示すように、この情報は、物体の製造業者、型番、及び製造番号等の値を含むことができる。
【０１４３】
図１６は、紛失物品又は損傷物品を届け出るための報告機構の使用を示す。これは紛失物品データベース内の物品に対する照会を行う。最終的に物体又は物品が発見された場合、図１７に示すように発見物品データベースを照会するために発見物品報告書を使用する。物品は、適合すると適切な所有者に返却できる。
【０１４４】
本発明の特定の実施形態は、図１８に示すように、自動的に（おそらく発見物品報告書を受け取った場合に）又は紛失者（物品の本来の所有者）の裁量のいずれかで発見者に謝礼を送るための謝礼機構を含むことができる。
【０１４５】
ウェブサイト顧客アクセス
図１９から図２９は、本発明の実施形態による実際の顧客とウェブサイトとの対話画面を示す。この特定の実施形態は、Ｂｏｏｍｅｒａｎｇｌｔ（Ｂｏｏｍｅｒａｎｇｌｔ．Ｃｏｍにおいてインターネット経由でアクセス可能）として知られている。本発明の技術的な思想及び範囲内で他の実施例を開発することができ、本発明は、以下に説明するＢｏｏｍｅｒａｎｇｌｔでの実施例でもたらされる特徴に限定されないことは明らかである。
【０１４６】
Ｂｏｏｍｅｒａｎｇｌｔは、紛失又は盗まれた物品を取り戻すインターネットによる有用な方法である。Ｂｏｏｍｅｒａｎｇｌｔを経由して、ユーザは、所有権の機密保護された永久的な記録を作成することができ、何時でも何処からでもアクセスできる。自分の所有物が紛失、盗難、又は地震や火災等で損傷した場合にこの記録を使用して、その後、紛失したことを保険会社又は製品製造業者に届け出ることができる。
【０１４７】
Ｂｏｏｍｅｒａｎｇｌｔは、自動車部門と類似しているが、それよりも優れており全てのものを対象としている。Ｂｏｏｍｅｒａｎｇｌｔラベルは、車両識別番号（ＶＩＮ）のような機能を果たすが、全種類のユーザ個人所有物を対象とするものである。ユーザは、１ヵ所、即ちＢｏｏｍｅｒａｎｇｌｔで、自宅、会社、又は海外から自分の所有物を追跡できる。
【０１４８】
Ｂｏｏｍｅｒａｎｇｌｔの作動
本システムのＢｏｏｍｅｒａｎｇｌｔの実施形態は以下のように作動する。
【０１４９】
・ラベル物品
ユーザは、Ｂｏｏｍｅｒａｎｇｌｔラベルをオンライン又は小売店で購入できる。紛失又は盗まれた場合に回収したいものにラベルを取り付ける。次に、Ｂｏｏｍｅｒａｎｇｌｔアカウントに入り、自分のラベルをリスト化して、ラベル番号を個人名又は身分証明書に関連付ける。ユーザは、携帯電話、キーチェーン、絵画、荷物、又は動物といった実質的に全てのものにラベルを取付けて登録することができる。
【０１５０】
・登録スタッフ
また、ユーザは、ラベルを取り付けた各々の物品の簡単な説明を入力することができる。登録すると物品明細書が与えられ、物品に関して製造業者、保険会社、警察等との連絡が可能になる。登録するためには、物品の簡単な説明書に必要事項を記入するだけである。
【０１５１】
・報告書の作成
物品が壊れたり、紛失したり、又は盗まれるという不幸な事件が起こると、ユーザは、自分のＢｏｏｍｅｒａｎｇｌｔアカウントに入って適切な「報告書」に必要事項を記入することができる。ユーザは、ファイルを更新して、報告書を警察又は保険会社を含むどこにでも電子メールで送信することができる。
【０１５２】
・物品の回収
Ｂｏｏｍｅｒａｎｇｌｔラベルが取り付けられた物品を善良な市民又は警察が発見した場合、ウェブサイトにログインして、ラベル番号、発見した物品の説明、現在その物品がある場所を含む、発見物品報告書の必要事項を記入する。紛失物品と発見物品とが正確に一致した場合、本システムは、自動的に本来の所有者に電子メールを介して通知することができる。そうでない場合、ユーザ又は所有者は、発見物品のＢｏｏｍｅｒａｎｇｌｔデータベースを検索して、類似の物品が発見されているか否かを判定することができ、最終的に行方不明物品であることが分かる場合もある。ユーザは、発見者に直接連絡して回収する方法を取り決めることができる。所望であれば、Ｂｏｏｍｅｒａｎｇｌｔは小額の手数料で物品を発送するよう手配する。
【０１５３】
Ｂｏｏｍｅｒａｎｇｌｔサービスを利用するために必要なものは、インターネットに接続され、Ｎｅｔｓｃａｐｅ  Ｎａｖｉｇａｔｏｒ、Ｉｎｔｅｒｎｅｔ  Ｅｘｐｌｏｒｅｒ、ＡＯＬ、又は他の種類のブラウザ等の一般的な機密保護されたウェブブラウザを実行するコンピュータだけである。
【０１５４】
Ｂｏｏｍｅｒａｎｇｌｔは、取り外すことが殆ど不可能な、世界中どこでも利用できる最良かつ最も実際的な幾つかのラベルを開発している。各々のラベル及びタグには「返却と引き換えに謝礼」という文言が記載されている。
【０１５５】
入会手続き（Ｓｉｇｎ−ｕｐ）
図１９Ａから図１９Ｂは、入会手続き画面を示す。
見込みユーザは連絡情報を与えて、ユーザ名及びパスワードを作成することができる。Ｂｏｏｍｅｒａｎｇｌｔサービスを使用するためには、Ｂｏｏｍｅｒａｎｇｌｔデータベースでのアカウントを作成する、即ち入会手続きを行う必要がある。また、有効な電子メールを与える必要がある。以下にユーザの入会手続き方法を説明する。
・Ｂｏｏｍｅｒａｎｇｌｔウェブサイトに進む。
・「入会手続き」をクリックする。
・類別を選択して「続行」をクリックする。
・書式に必要事項を記入する。「ＯＫ」をクリックする。
・終了。確認の電子メールがユーザに送信される。
【０１５６】
入会手続きを行うためには、ユーザは、以下のセクションを完了する必要がある。
・個人情報−このセクションにおいて、ユーザは、自分のものである可能性がある紛失物品／発見物品が発見物品として報告された場合に通知を受けることができるように、住所及び電話番号等の連絡情報を記入する必要がある。
・アカウント情報−ユーザは、機密保護されたＢｏｏｍｅｒａｎｇｌｔアカウントにアクセスするためにはユーザ名及びパスワードを必要とする。ユーザはこれらを作成するか、又は好都合なシステムが生成した選択肢の１つを選択することができる。
・パスワードを忘れた場合−本システムでは、ユーザがヒントとなる質問及び回答を入力することができ、この方法でＢｏｏｍｅｒａｎｇｌｔはユーザからの要求があった場合に自動的にユーザ名及び／又はパスワードを電子メールで送付することができる。
・質問−Ｂｏｏｍｅｒａｎｇｌｔの入会手続きに進む前に読むべき規約及び条件。
【０１５７】
電子メールは、Ｂｏｏｍｅｒａｎｇｌｔでの主要な連絡手段である。システムを使用するためには、ユーザは、電子メールアカウントをもつ必要がある。
【０１５８】
利用開始手続き（Ｓｉｇｎ−ｏｎ）
図２０は、利用開始手続き画面を示す。ユーザは、ユーザ名及びパスワードを使用して、インターネット（Ｗｅｂ）接続でもって世界中のどこからでもシステムにアクセスできる。これは無線ウェブ装置を含むことができる。ユーザは、Ｂｏｏｍｅｒａｎｇｌｔアカウントを利用するために、ユーザ名及びパスワードを打ち込んだ後に「利用開始」をクリックする。
【０１５９】
ユーザが入会手続きを行うと、Ｂｏｏｍｅｒａｎｇｌｔはユーザ名及びパスワードの確認電子メールを送る。ユーザがヒント質問を準備して入会手続き時に回答すると、Ｂｏｏｍｅｒａｎｇｌｔは、ユーザがヒット質問の正しい回答を打ち込んだ場合に自動的にパスワードを検索して画面表示する。ユーザがヒント質問及び回答を入力しなかった場合、Ｂｏｏｍｅｒａｎｇｌｔは、ユーザにパスワードを電子メールで送ることができる。この特徴を使用するためには、ユーザは、データベース内に記憶された情報に一致するユーザ名、姓名、及び住所を入力する必要がある。ユーザ名及びパスワードの両方を忘れた場合でも、Ｂｏｏｍｅｒａｎｇｌｔは姓名及び住所を入力すればユーザ名及びパスワードを電子メールで送ることができる。
【０１６０】
購入登録証書
図２１Ａから図２１Ｅは、登録証書購入画面を示す。この実施例において、ユーザは、機密保護されたＢｏｏｍｅｒａｎｇｌｔアカウントに対して既に入会手続きを済ませている。Ｂｏｏｍｅｒａｎｇｌｔサービスを利用するためには、最初にラベル及び登録証書を購入する必要がある。オンライン店舗において、Ｂｏｏｍｅｒａｎｇｌｔは、ユーザのニーズに最も適する種々の物品に関する各種ラベル及びマーカーを提供する。また、ユーザは、参加小売店からラベルパッケージを購入することができる。Ｂｏｏｍｅｒａｎｇｌｔ店舗において、ユーザのクレジットカードは、Ｂｏｏｍｅｒａｎｇｌｔの機密保護されたウェブサイトを介して処理され、Ｂｏｏｍｅｒａｎｇｌｔの機密保護されたウェブサイトは、ユーザの注文に関するセキュリティ及びプライバシーを保証する。
【０１６１】
以下の一連の段階は、Ｂｏｏｍｅｒａｎｇｌｔ店舗でラベル及び登録を購入する方法の概要を示す。
・Ｂｏｏｍｅｒａｎｇｌｔ店舗に進む。
・選択したラベルパッケージをカートに追加する。
・買い物を続けて、別のラベルパッケージをカートに追加する。
・数量割引を受ける資格がある場合、割引クーポン番号を入力する。
・「再計算」をクリックする。
・「チェックアウト」をクリックする。
・発注書に必要事項を記入して注文を確定する。
・「注文処理」をクリックする。
【０１６２】
電子受領書が表示され、Ｂｏｏｍｅｒａｎｇｌｔはユーザファイルに電子受領を保管する。次に、ラベルパッケージがユーザの所定の場所に送られる。ユーザは、Ｂｏｏｍｅｒａｎｇｌｔ店舗に行き、種々のラベルパッケージを再検討して自分のニーズに最も適するものを選択し、その後、「カートに追加」をクリックする。ユーザは、画面上でショッピングカートの中身を見ることができる。同じ種類の複数のラベルパッケージを注文するためには、注文書の「数量」フィールドに必要な数を打ち込む。また、「買い物を継続する」をクリックして次のリラベルパッケージをカートに追加することによって別のラベルパッケージを注文することができ、又は「カートを空にする」をクリックすることによってショッピングカートの中身を全てクリアすることができる。
【０１６３】
ユーザは、ナビゲーションバーのショッピングカートアイコンをクリックすることによって、好きな時にカートの内容を見ることができる。チェックアウト画面／書式は以下のセクションを有する。
・お客様のショッピングカートの中身からの注文情報は全て揃いました。
・ご参考までに請求書送付住所はお客様のアカウントから検索しました。請求書送付住所が入会手続き時に入力された住所と異なる場合、この書式で又はお客様のプロフィールにおいて何時でも変更できます。
・「はい」をクリックすれば発送住所が記入されます。即ち、発送住所が請求書送付と同一である場合自動的に必要事項が記入されます。発送住所が請求書送付住所と異なる場合、又はラベルパッケージをご友人にプレゼントとして送る場合、必要事項を記入して下さい。
・クレジットカード情報は、当社の機密保護されたサーバでご注文を適切に処理できるように、必要な書式で入力する必要があります。
・注文指示セクションは、ご注文の発送に関する詳細事項があれば記入できます。
・「今後の使用のために保存」により、お客様がアカウント情報で提供した情報を記憶することができますので、次回、Ｂｏｏｍｅｒａｎｇｌｔウェブサイトで購入される場合には再記入の必要がなくなります。
【０１６４】
ユーザが注文書の入力を終えると、「注文確定」をクリックして機密保護された決済サイトに進んで「注文処理」に進むことができる。注文は、オンライン決済サービス、例えば、Ｉｎｔｅｌｌｉｐａｙを介して処理され、その後、ラベルパッケージが発送される。
【０１６５】
ラベル起動
図２２Ａから図２２Ｂは、ラベル起動画面示す。Ｂｏｏｍｅｒａｎｇｌｔシステムは、利用が簡単で、紛失した所有物及び盗まれた所有物を正規の所有者に戻す際に有効であるように設計されている。「ラベル起動」機能は、これらのファクターに対応するものである。ラベルに印刷されているＢｏｏｍｅｒａｎｇｌ識別（ＢＩＮ）をＢｏｏｍｅｒａｎｇｌｔデータベースのユーザアカウントに入力することによって、ユーザは、この識別番号をそのアカウントに関連付けできる。ラベルの起動には数秒かかり、これは、ラベルが個別に登録されていない場合でも、このラベルを備えた発見物品がそのユーザの所有物であると特定するには十分である。また、ラベルの起動は、所有物の登録を続ける場合に時間を節約する。以下の段階は、ユーザのラベル起動方法の概要を示す。
・「ラベル起動」に進む。
・「新規」をクリックする。
・ラベル種類を選択する（「Ｂｏｏｍｅｒａｎｇｌｔ」又は「その他」）。
・ラベル番号を打ち込んで「ＯＫ」をクリックする。
・終了。取得した全てのラベルについて繰り返す。
起動したラベルの変更を行う方法
・「ラベル起動」に進む。
・ドロップダウンリストから変更したいラベルの種類を選択して「変更」をクリックする。
・正しい種類及び／又は正しいラベル番号の種類を選択して、「ＯＫ」をクリックする。
・終了。ユーザが既に正しくないラベル番号を使用して自分の物品の１つ又はそれ以上を登録している場合、物品の説明欄でこれらのラベル番号を手作業で変更する必要がある。
起動したラベルを削除する方法
・「ラベル起動」に進む。
・ドロップダウンリストから削除したいラベルの種類を選択して「削除」をクリックする。
・そのラベル情報の確認画面が表示される。「ＯＫ」をクリックして削除する。
・終了。
【０１６６】
ユーザがこのラベル番号を使用して自分の物品の１つ又はそれ以上を既に登録している場合、物品の説明欄からは自動的に削除されないので、手作業で削除する必要がある場合もある。
【０１６７】
Ｂｏｏｍｅｒａｎｇｌｔラベルを物品に取り付ける方法
ウェブサイトは、Ｂｏｏｍｅｒａｎｇｌｔラベル購入に対する祝辞を表示する。ラベルは、任意の全ての表面に使用できるよう設計されている。一般的に、ユーザは、窃盗犯がマーキンギされた所有物を盗む可能性が少ないので、ラベルをすぐに気づくと思われる場所に取り付けることになる。これで所有物を見つけることができる。
【０１６８】
物品の登録
図２３Ａから図２３Ｃは、物品登録画面を示す。ユーザは、所有物品を登録するためにラベル及び／又は登録証書を購入する必要がある。ユーザは、ラベル及び登録証書をオンライン又は参加小売店で購入できる。以下の段階は、物品の登録方法の概要を示す。
・Ｂｏｏｍｅｒａｎｇｌｔアカウントの利用開始手続きを行う。
・「所有物の登録」に進む。
・登録パッケージ／期間を選択する。「続く」をクリックする。
・登録したい物品を選択する。「続く」をクリックする。
・物品に取り付けるラベル種類及び番号を含む必要事項を書式に記入する。その後、「ＯＫ」をクリックして情報を送る。
・終了。これで紛失又は盗まれた場合でも帰宅途中で見つけることができる。
ナビゲーションバーの所有物の登録をクリックする。
・ラベルパッケージを購入した場合には、全ての利用可能な物品リストが表示されることになる。
・利用可能なものがない場合、買い物に進む。
【０１６９】
ユーザは、リストの一番上のラベルパッケージを選択する。これは複数のパッケージを有する場合には最も早く満了することになる。次に、プルダウンメニューから登録したい物品を選択する。物品はアルファベット順に表示される。そのリストに物品が含まれていない場合、ユーザは、キーワードを入力して検索することができる。キーワード検索が上手くいかなかった場合、ユーザは、「その他」の属性を利用して特定の物品を登録することができる。
【０１７０】
次に、ユーザは、物品の特定に必要であると思われるできるだけ多くの情報を記入するよう促される。その物品に関して詳細に記入するほど、物品が紛失又は盗まれた場合に取り戻すのが容易になる。
【０１７１】
次に、ユーザは、物品上に見出される少なくとも１つのラベルを取り付けるよう促される。これは任意の種類の識別ラベルであってもよい。物品にラベルを取り付けなかった場合、製造番号はラベル番号の機能を果たすことができる。Ｂｏｏｍｅｒａｎｇｌｔは、予定表、サングラス、絵画等の製造番号がない物品にユーザがラベルを取り付けることを推奨する。ユーザが既にラベルを起動している場合、ドロップダウンリストから選択することができる。
【０１７２】
登録物品の閲覧
図２４は、登録物品閲覧画面を示し、図２５は、登録物品変更画面を示す。間違いが起こった場合、又は物品属性のいずれかが変更された場合、ユーザは、Ｂｏｏｍｅｒａｎｇｌｔアカウントにアクセスしてオンラインでその情報を更新することができる。以下の段階は、ユーザが行う必要がある事項の概要を示す。
・Ｂｏｏｍｅｒａｎｇｌｔアカウントの利用開始手続きを行う。
・所有物変更／検索に進む。
・「変更」をクリックする。
・オンライン書式の必要な変更を行う。
・完了したら「ＯＫ」をクリックする。
・終了。常に正しい情報にするために物品の説明を更新することが重要である。
【０１７３】
Ｂｏｏｍｅｒａｎｇｌｔは、紛失物発見サービスだけでなく、所有者の証印及び物品登録証書の証拠として設計されている。ユーザが物品を登録すると、登録証明書を印刷することができる。以下の段階は、ユーザが行う必要である事項の概要を示す。
・Ｂｏｏｍｅｒａｎｇｌｔアカウントの利用開始手続きを行う。
・所有物変更／検索に進む。
・物品が属する類別を選択する。「表示」をクリックする。
・表示された物品リストから、証明書を印刷したいと思う物品を選択する。「証明書」をクリックする。新しいブラウザウィンドウに表示される。
・使用中のブラウザの「印刷ボタン」をクリックする。
これで、ユーザは、物品登録のハードコピー及び証拠を得ることができる。ユーザは、他の物品の証明書を必要とする場合には前述の手順を繰返すことができる。
【０１７４】
紛失物品に対する発見物品のデータベースを検索する方法
Ｂｏｏｍｅｒａｎｇｌｔは、ユーザが、発見物品のデータベースを検索して紛失物品が発見物品として報告されているか否かを判定することを可能にする。１つの実施形態によれば、ユーザは、物品を検索するためには物品を登録して紛失物として届け出る必要がある。以下の段階は、ユーザが発見物品のデータベースを検索する方法の概要を示す。
・Ｂｏｏｍｅｒａｎｇｌｔアカウントの利用開始手続きを行う。
・所有物変更／検索に進む。
・物品が属する類別を選択する。「表示」をクリックする。
・紛失した物品を画面上で見つけ、隣にある「検索ボタン」をクリックする。
・適合可能性の高い順から低い順に検索結果が表示される。
・自分の所有物品と思われる物品の発見者と連絡を取るために、発見物品の説明欄の隣にある「電子メールで発見者と連絡を取る」ボタンをクリックして、電子メールをＢｏｏｍｅｒａｎｇｌｔの紛失物及び発見物品サポートに送る。
・電子メールが送信されたという確認が表示されることになる。
【０１７５】
物品を削除する方法
・Ｂｏｏｍｅｒａｎｇｌｔアカウントの利用開始手続きを行う。
・所有物変更／検索に進む。
・物品が属する類別を選択する。「表示」をクリックする。
・削除したい物品の説明欄を見つける。
・削除したい物品の隣にある「削除ボタン」をクリックする。
・物品の詳細と共に確認画面が表示されることになる。
・「ＯＫ」をクリックしてその物品を削除する。
【０１７６】
ユーザが間違って物品を削除した場合には常に再登録ができる。ユーザが物品を削除すると、１件の登録証書は、利用可能な登録証書のリストに戻される。
【０１７７】
物品にどのような報告書が添付されているかをチェックする方法
ユーザが複数の物品を登録して、複数の報告書がある場合、各々の物品にどのような報告書が添付されているかを見るのは簡単である。以下の段階は、物品に関する報告書を見る方法の概要を示す。
・Ｂｏｏｍｅｒａｎｇｌｔアカウントの利用開始手続きを行う。
・所有物変更／検索に進む。
・物品が属する類別を選択する。「表示」をクリックする。
・報告書を見たいと思う物品を見つけて、隣にある「報告書ボタン」をクリックする。
・この物品に添付されている全ての報告書を有するリストが表示される。
【０１７８】
ここから、ユーザは、新しい報告書を作成すること、選択した物品を含む既存の報告書を変更、削除、閲覧すること、及び電子メールで送信することができる。
【０１７９】
図２６は、保険プロフィール作成画面を示す。Ｂｏｏｍｅｒａｎｇｌｔは、保険情報を保管するための便利な媒体を提供する。ユーザが自分のプロフィールに必要事項を記入すると、情報は、自動的にＢｏｏｍｅｒａｎｇｌｔ報告書に必要事項として記入されることになる。次に、Ｂｏｏｍｅｒａｎｇｌｔアカウントを介して、保険会社に支払請求を電子メールで送信することができる。これによりユーザ及び代理店の両方の時間が節約され、また、支払請求に必要な情報が明確かつ正確に提示される。以下の段階は、保険プロフィールを作成する方法の概要を示す。
・Ｂｏｏｍｅｒａｎｇｌｔアカウントの利用開始手続きを行う。
・自分の保険に進む。
・以下のセクションを含む書式に必要事項を記入する。
・保険会社情報
・保険証書情報
・保険代理店情報
・完了すると「ＯＫ」をクリックする。
【０１８０】
既定の保険プロフィールは、ユーザが報告書を作成したときに自動的に表示される。既定のプロフィールが特定の報告書に必要なものではない場合、ユーザは、ドロップダウンメニューをクリックして、報告した事故をカバーする保険証書を選択することができる。以下の段階は、ユーザの現在の保険プロフィールを変更する方法の概要を示す。
・Ｂｏｏｍｅｒａｎｇｌｔアカウントの利用開始手続きを行う。
・自分の保険に進む。
・プルダウンリストから更新したいプロフィールを選択する（プロフィールは、保険会社及び保険証書の種類別に記載されている）。
・オンライン書式上で必要な変更を行い「ＯＫ」をクリックする。データベースの保険情報が更新されることになる。
保険プロフィールを削除する方法
・Ｂｏｏｍｅｒａｎｇｌｔアカウントの利用開始手続きを行う。
・自分の保険に進む。
・プルダウンリストから削除したいプロフィールを選択し（プロフィールは、保険会社及び保険証書の種類別に記載されている）、「削除ボタン」をクリックする。
・プロフィール詳細に関する確認が表示される。
・「削除ボタン」をクリックして削除する。
【０１８１】
証書が間違って削除された場合、ユーザは常に自分の保険に戻って再入力することができる。
【０１８２】
図２７Ａから図２７Ｂは、紛失物品報告書画面を示す。以下の段階は、発見物品を所有者に戻すために行う必要がある事項の概要を示す。
・段階１：発見した物品にＢｏｏｍｅｒａｎｇｌｔラベルが取り付けられていない場合でも、Ｂｏｏｍｅｒａｎｇｌｔウェブサイトに進む。所有者は、依然として事故及び物品の説明欄で物品を見つけるためにチェックを行うことができる。
・段階２：連絡先情報、及び物品の発見時期や地域に関する詳細内容を含む、発見物品報告書を作成する。
・段階３：発見した物品の説明を作成した報告書に添付する。属性フィールドに必要事項を記入することによって、発見した物品に関するできるだけ詳細な説明を入力する。物品の製造業者、型番、製造番号、及びＢｏｏｍｅｒａｎｇｌｔ又は他の識別ラベル番号（があれば）は、最も重要な属性である。前述の情報を物品上に見つけてシステムに入力すると、これは非常に役立つ。重要な注意事項：発見した物品の属性がよく分からない場合、フィールドは未記入のままにするのが好ましい。
・段階４：Ｂｏｏｍｅｒａｎｇｌｔからの連絡を待つ。物品及び事故の説明を対照する電子メールを受信し、発見した物品が適切な所有者に適合したことを確認する。最初にすることは、発見した物品と所有者が紛失した物品との適合を確認することである。数名の人が類似の物品を紛失した可能性、製造番号は近いが適合しない可能性、又は属性は近いが厳密には適合せず、しかし同一の物品であり得る可能性がある。
・段階５：物品を返却する。物品を紛失発見場所又は警察署等の落とした場所に残しておくことによって物品を返却することができる。また、Ｂｏｏｍｅｒａｎｇｌｔは、その物品を自宅又は会社から発送されるように手配することができる。
・段階６：謝礼を受け取る。Ｂｏｏｍｅｒａｎｇｌｔは、個人所有物を保護するために使用できる１組のラベル及びタグの謝礼を与える。
【０１８３】
所有者が別の現金による謝礼を提供した場合、発見者は、Ｅ謝礼を使用してＢｏｏｍｅｒａｎｇｌｔと契約し、その謝礼を受け取ることができる。その代わりに、全ての謝礼を直接発見者に送るように発見物品の所有者と取り決めを行うこともできる。物品の発見者が善良な市民である場合、Ｂｏｏｍｅｒａｎｇｌｔはその物品を警察署に預けて報告書を提出することを強く推奨する。その場合でも、発見者は、物品が最終的に返却された場合には無料のＢｏｏｍｅｒａｎｇｌｔラベル及び登録パック、及び所有者から提供された謝礼を受け取ることができる。
【０１８４】
図２８Ａから図２８Ｃは、紛失物品検索画面を示す。以下は、物品の１つを紛失した場合又は盗まれた場合にユーザが行なう必要がある事項を示す。
・段階１：Ｂｏｏｍｅｒａｎｇｌｔ．Ｃｏｍに行き、物品を登録する（登録済みの場合には本段階をスキップできる）。物品にＢｏｏｍｅｒａｎｇｌｔラベルが取付けていない場合でも、物品及び事故の説明によって特定することができる。
・段階２：物品の紛失／盗難報告書を作成する。
・段階３：紛失した物品の説明を紛失品報告書に添付する。
・段階４：この段階で、何時でもＢｏｏｍｅｒａｎｇｌｔに行って、発見物品のデータベースを検索して自分の紛失物品が届け出されているか否かを見つけることができる。
・段階５：適合するものが存在するか否かを確認する。自分の物品と思われる物品を見つけた場合、Ｂｏｏｍｅｒａｎｇｌｔを介して所有者に連絡を取るアドバイスを受ける。何らかの別の取り決めを行う前に、我々は同一の物品であるか否かを確認する。
・段階６：Ｅ返却：物品を検索する。発見物品が紛失物品であると判定すると、その物品を回収する手助けを行うことができる。我々は、発見者の所在地から物品を回収すること及び自宅まで物品を送る手配を行うことができる。また、発送について発見者と直接取り決めを行うことを選択することもできる。
【０１８５】
図２９は、ユーザプロフィール変更画面を示す。Ｂｏｏｍｅｒａｎｇｌｔデータベースのユーザ個人情報を更新するために、ユーザは、以下の手順に従う。
・Ｂｏｏｍｅｒａｎｇｌｔアカウントの利用開始手続きを行う。
・自分の情報の変更に進む。
・オンライン書式上で必要な変更を行う。
・完了したら「ＯＫ」をクリックする。
【０１８６】
ユーザがユーザ名及びパスワードを変更している場合、最初のユーザ名及びパスワードではアカウントにアクセス不可能になるので、新しいユーザ名及びパスワードを覚えるよう促される。
【０１８７】
ビジネス機能
以下のセクションは、Ｂｏｏｍｅｒａｎｇｌｔ．Ｃｏｍ実施における種々の機能、処理、及び報告書を定義するものである。別の実施形態及び実施例は、更に多くの又は更に少ない特徴を提供することになる。
ユーザサイト
・加入者のパスワードヒントによるログイン
・既存の加入者のＢｏｏｍｅｒａｎｇｌｔへのログイン
・加入者になる。
・Ｂｏｏｍｅｒａｎｇｌｔ加入者になるために登録又は入会手続きを行う。
・発見物品を報告する。
・物品を定義して、発見物品報告書を完成する。
・Ｂｏｏｍｅｒａｎｇｌｔ店舗／ショッピングカート閲覧。
・商品及び登録証書を購入する。
・物品を登録する。
・物品をＢｏｏｍｅｒａｎｇｌｔに登録する。
・物品を閲覧する。
・登録物品のプレビュー、変更、及び削除を行う。
・プロフィール及び詳細を閲覧する。
・紛失物品を報告する。
・物品を定義して、紛失物品報告書を完成する。
・加入者プロフィールを変更する。
・加入者は、任意のプロフィール情報を変更できる。
・ログアウト
・Ｂｏｏｍｅｒａｎｇｌｔについて
・指示方法
・サイトペルプ
・サイトの使い方のペルプ
・当社への連絡
・プライバシーの説明
・フィードバック
管理サイト
・全てのユーザサイト機能
・加入者ラベル管理
・履行中に加入者が購入したＢＩＮ番号を追加する。
・加入者検索／ログイン
・管理者は、名前で加入者検索を行うことを可能にする。
・管理者は、パスワード等を変更するために加入者としてログインできる。
・事故解決管理
・紛失／発見事故を解決する。
・事故解決プロセスを予定に入れる。
・報告書
・以下の報告書を実行する。
・メールメッセージを送信する。
・手作業でメールメッセージを送信する。
プロセス
・紛失／発見適合
・物品が紛失、発見、又は登録された場合、対応する紛失／発見適合が存在するか否かを確認する。
・存在する場合：
・所有者に発見者名、連絡先情報、及び免責条項を付した電子メールを送信する。
・発見者に検索ステータスを付した電子メールを送信する。
・ウェブページを介して現在のユーザに現在のステータスを通知する。
・存在しない場合：
・ウェブページを介して現在のユーザに現在の状況を通知する。
報告書
・発見事故報告書−事故発生日別に
・事故解決ログ−日付別に
・紛失事故報告書−事故発生日別に
・登録証書−日付別に
・登録証書−組織別に
・登録証書／決済−組織別、決済日別に
・ウェブヒット−日付別に、ウェブページ別に
・ウェブヒット−ウェブページ別に
【０１８８】
別の用途
前述のＢｏｏｍｅｒａｎｇｌｔの顧客志向のウェブベースシステムに加えて、例えば、相手先商標製品の製造会社（ＯＥＭ）の環境において、本発明の別の実施形態を利用でき、ここでは大部分のプロセス（物品の事前登録証書、報告書等）が自動的に行われエンドユーザの介入を必要としない。これらの別の実施形態の一部は、本明細書ではＢｏｏｍｅｒａｎｇｌｔプログラムと呼ぶ。Ｂｏｏｍｅｒａｎｇｌｔプログラムは、以下の特徴の１つ又はそれ以上を提供する。
【０１８９】
サービス（製品）：データを収集して記憶し、報告書を送り、ラベルを準備して、盗難報告書へのアクセスを可能にする。
【０１９０】
機会：保証応答を高め、請求経費を軽減し、更なる利益を生み、連絡及び顧客との関係を改善する。
【０１９１】
規則：オフライン承認、使用許諾、価格及び決済条件、数量、委託手数料。
【０１９２】
対象：顧客、保険、警察、製造業者、小売商、政府、企業
【０１９３】
実行：プログラムは、前述のユーザインタフェース−Ｂ２Ｂ及びＢ２Ｃを管理するデータベース内のエンティティである。
【０１９４】
履行−Ｂ２Ｂ及びＢ２Ｃ：販売及びプログラムを実行するためのマーケティング計画
【０１９５】
現在サポートされているプログラムとしては、前述のようなビジネス対顧客（Ｂ２Ｃ）用途、及び以下に説明するビジネス対ビジネス（Ｂ２Ｂ）プログラムを挙げることができる。
【０１９６】
割引券
割引券は、Ｂｏｏｍｅｒａｎｇｌｔによって提供される基本的なＢ２Ｂプログラムであり、他のプログラムの要素として使用することができる。割引プログラムは、組織が、Ｂｏｏｍｅｒａｎｇｌｔ商品の割引に関する割引券を顧客に提供する能力をもたらす（消費者が利用可能な製品及びサービス）。
【０１９７】
小売／電子取引業者プログラム
小売／電子取引業者プログラムは、小売／電子取引業者がＢｏｏｍｅｒａｎｇｌｔ消費者パックをオンラインで一括購入するか又は卸売り価格で購入した後に、小売／電子取引業者店舗で販売することを可能にする。小売パック及び数量を上手く組み合わせたものをオンライン購入品にすることができる。卸売り価格は、数量及び条件に基づいてオフラインで交渉することができる。消費者は、ラベルパックを店舗で購入し、オンラインでラベル番号を入力することによって登録項目を起動する。
【０１９８】
相手先商標製品の製造会社（ＯＥＭ）インサートプログラム
ＯＥＭインサートプログラムは、Ｂｏｏｍｅｒａｎｇｌｔが提供するＢ２Ｂプログラムとは別のプログラムである。ＯＥＭインサートプログラムは、ＯＥＭに、製品及びパッケージにＢｏｏｍｅｒａｎｇｌｔ提示インサート及び／又はラベルを取り付けることを可能にして、製品登録を有効かつ容易にするものである。このプログラムは、顧客、保証書、及び物品を追跡してＯＥＭに連絡する。Ｂｏｏｍｅｒａｎｇｌｔに関して、顧客は名前に変換される。名前によって、会社、製造業者、組織等は、リスト及び市場調査を販売すること、先物売買で手数料を得ること、及び広告を行うために人の流れにアクセスすることができる。保証書を管理することは、属性として保証会社、保証番号、及び保証満了日を追加することを意味する。Ｂｏｏｍｅｒａｎｇｌｔは、この保証情報の全てを管理するための中央の便利な場所を提供する。物品を管理することによって、顧客には彼らの所有物の立派な仮想的な物置又は索引を与えることができる。組織がＯＥＭプログラムの入会手続きを行うたびに、ランダムに作成されるＭＩＮ（製造業者識別番号）が生成される。もしくは、組織はＭＩＮを指定でき、又はＯＥＭ名はＭＩＮの機能を果たすことができる。ＭＩＮは、Ｂｏｏｍｅｒａｎｇｌｔに関するＯＥＭを特定する。次に、ＭＩＮは、ＯＥＭウェブサイトプログラミングに組み込まれ、製品保証カードに印刷され、Ｂｏｏｍｅｒａｎｇｌｔで機能して、登録を開始して購入時にオンラインでＢｏｏｍｅｒａｎｇｌｔ店舗での割引を起動する。
【０１９９】
担保付き貸付業者プログラム
Ｂｏｏｍｅｒａｎｇｌｔ担保付き貸付業者システム（ＢＣＬＳ）は、担保付き貸付業者（ＣＬ）及び法執行機関（ＬＥＡ）専用に開発された独立型ソフトウェア及びデータベース製品である。ＢＣＬＳは、電子メールによって所要のＪＵＳＴ−１データを１つ又はそれ以上のＬＥＡに送るために、ＣＬに有効かつ簡単な報告書システムを提供する。ＢＣＬＳは、法執行機関に以下のものを提供する。
・特にＬＥＡのために開発された独立型システム
・無料
・高容量
・物品のＢｏｏｍｅｒａｎｇｌｔ暫定分類
・ＬＥＡによるデータ入力なし
・ドロップダウンメニューの信頼性
・機密保護された送信
・大半の他のＬＥＡデータベースとの互換性（Ｏｒａｃｌｅ、Ｓｏｌａｒｉｓ、及びＰＣ）
・ＮＣＩＣにマッピング可能
・全国的な盗難及び紛失物品データベースの検索
ＢＣＬＳがＣＬに提供するもの
・機密保護されたＪＵＳＴ−１報告書の自動作成
・最小のコンピュータ要件（ブラウザ有効）
・物品のＢｏｏｍｅｒａｎｇｌｔ暫定分類
・前金で払う費用なし
・融資書式の互換性
・融資物品保管能力
【０２００】
ＣＬは、Ｂｏｏｍｅｒａｎｇｌｔウェブサイトソフトウェア及び物品のＢｏｏｍｅｒａｎｇｌｔ暫定分類を使用して、融資及びその物品詳細を記録する。次に、ＣＬはオンライン照会され、申請用紙はプロフィール情報として保存される。Ｂｏｏｍｅｒａｎｇｌｔ職員が申請者を検討して承認した後、ＣＬ主要仲介者がＢｏｏｍｅｒａｎｇｌｔにログインして、報告書を１つ又はそれ以上のＬＥＡへ送信開始するために、ユーザ名及びパスワードを設定する。ＬＥＡは、ＣＬ報告書を受領することを申請する必要はない。Ｂｏｏｍｅｒａｎｇｌｔ紛失物品及び盗難物品データベースを検索するために、ＬＥＡにはユーザ名及びパスワードのみが与えられる。
【０２０１】
接客（ＨＲＴ）プログラム
接客プログラムは、Ｂｏｏｍｅｒａｎｇｌｔ報告書システムを使用して接客組織及び航空会社等（ホテル、レストラン、及び輸送を言及するために総称して「ＨＲＴ」と呼ぶ）に、紛失した荷物及び物品に関する電子メールによる問い合わせを管理できる。組織は、紛失が届け出された物品、発見物品及び返却物品、及びもたらされたチップ及び謝礼に関する概要及び詳細報告書にアクセスできる。紛失物品の客／所有者は、ＨＲＴプログラム参加者から紛失物品に関する問い合わせ方法はＢｏｏｍｅｒａｎｇｌｔ．Ｃｏｍを介して行われることを学ぶ。次に、客／所有者は、利用開始手続き又は入会手続きを行い、適切な事故報告書に必要事項を記入し、紛失物品の説明を添付して、電子メールとして対応するＨＲＴ参加者に送信する。発見物品報告書を開始するためには、ＨＲＴ参加者は、ブラウザでアクセスして、標準的なＢｏｏｍｅｒａｎｇｌｔ書式で発見物品を報告するか、又は標準的な電子メール報告書をＢｏｏｍｅｒａｎｇｌｔに送る必要がある。
【０２０２】
Ｂｏｏｍｅｒａｎｇｌｔ資産追跡（ＢＡＴ）プログラム
ＢＡＴプログラムは、企業が、オンラインで登録及びラベルを購入することを可能にする。ＢＡＴ参加会社は、消費者プログラムと類似の大規模なＢｏｏｍｅｒａｎｇｌｔデータベースを介して世界的に彼らの機器の記録を保持することができる。会社資産にラベルを取り付ける選択肢は３つあり、ＢＡＴ参加会社に対応する１つの番号を有するＢｏｏｍｅｒａｎｇｌｔ−ＢＡＴラベル、顧客ＢＡＴ（ＢＡＴ参加会社が要求した連続ラベル）、又はＢｏｏｍｅｒａｎｇｌｔロゴのみ（この場合、物品は連続番号で登録される）である。
【０２０３】
保険プログラム
保険プログラムは、保険会社及び仲介会社が、Ｂｏｏｍｅｒａｎｇｌｔ商品に関する割引を顧客に与えることを可能にする。保険プログラムは、割引券及び小売／電子取引業者プログラムから構成される。この割引を得るためには、消費者はオンラインにてＢｏｏｍｅｒａｎｇｌｔ店舗に保険クーポン番号を入力するか、又は保険代理店からＢｏｏｍｅｒａｎｇｌｔラベルパックを購入する。Ｂｏｏｍｅｒａｎｇｌｔデータベースは、消費者から保険会社への電子メールによる事故／請求報告書を促進する。
【０２０４】
前述したように、本発明は、自動的な密接適合検索による組織−所有物−個人モデルに基づく、普遍的にアクセス可能な所有物追跡データベースを備えるシステムを提供し、任意の種類の所有物を発見物品として届け出ること、登録すること、及び紛失物として届け出ることができ、更に回収された所有物を所有者に返却することができる。
【０２０５】
本発明の前述の説明は、例示及び説明を目的として行われたものである。網羅的であること、又は開示された内容に本発明が限定されることは意図されていない。明らかに、当業者であれば多数の変更例及び変形例を理解できる。例えば、一部の段階及び方法の順序は変更することができ、同一の関連する作動、関連する性能、及び関連する利点がもたらされるであろう。実施形態は、本発明の原理及びその実際的な用途を最も有効に説明するために選択され説明されたものであり、他の当業者は、種々の実施形態に関する本発明を理解することができ、更に、熟考された特定の使用に適する種々の変形例でもって本発明を理解することができる。本発明の技術範囲は、特許請求の範囲及びその均等物によって定義されることが意図されている。
【図面の簡単な説明】
【０２０６】
【図１Ａ】従来技術による登録システムを示す。
【図１Ｂ】従来技術によるデータベーススキーマを示す。
【図１Ｃ】従来技術によるデータの例を示す。
【図２Ａ】ネットワーク上でアクセス可能な登録システムを示す。
【図２Ｂ】多くのチャンネルを介して個人及び組織とインタフェース接続する登録システムを示す。
【図３Ａ】組織−所有物−個人モデルを示す。
【図３Ｂ】紛失所有物、発見所有物、及び登録された所有物の図である。
【図４】ネットワーク上でアクセス可能な登録システムの詳細を示す。
【図５】物品検索方法の流れ図である。
【図６】紛失届出又は発見届出方法の流れ図である。
【図７Ａ】所有物マーキングラベルの範囲を示す。
【図７Ｂ】外部データベースに接続された登録システムを示す。
【図７Ｃ】国際的な登録システムを示す。
【図８】国際的かつ多言語の使用をサポートするサブスキーマを示す。
【図９Ａ】ユーザ組織の好適な実施形態のスキーマを示す。
【図９Ｂ】物品管理の好適な実施形態のスキーマを示す。
【図９Ｃ】記憶装置の好適な実施形態を示す。
【図９Ｄ】ＥＲモデルの好適な実施形態を示す。
【図１０Ａ】図ラベルを含む図９Ａから９Ｄのセクションである。
【図１０Ｂ】図ラベルを含む図９Ａから９Ｄのセクションである。
【図１０Ｃ】図ラベルを含む図９Ａから９Ｄのセクションである。
【図１１】本発明の実施形態によるウェブサイトのプロフィールを示す。
【図１２】本発明の実施形態によるシステムの実例である。
【図１３】本発明の実施形態によるシステムの実例である。
【図１４】本発明の実施形態によるシステムの実例である。
【図１５】本発明の実施形態によるシステムの実例である。
【図１６】本発明の実施形態によるシステムの実例である。
【図１７】本発明の実施形態によるシステムの実例である。
【図１８】本発明の実施形態によるシステムの実例である。
【図１９】本発明の実施形態によるウェブサイトの画面例である。
【図２０】本発明の実施形態によるウェブサイトの画面例である。
【図２１】本発明の実施形態によるウェブサイトの画面例である。
【図２２】本発明の実施形態によるウェブサイトの画面例である。
【図２３】本発明の実施形態によるウェブサイトの画面例である。
【図２４】本発明の実施形態によるウェブサイトの画面例である。
【図２５】本発明の実施形態によるウェブサイトの画面例である。
【図２６】本発明の実施形態によるウェブサイトの画面例である。
【図２７】本発明の実施形態によるウェブサイトの画面例である。
【図２８】本発明の実施形態によるウェブサイトの画面例である。
【図２９】本発明の実施形態によるウェブサイトの画面例である。
【符号の説明】
【０２０７】
３２０  紛失物品
３２２  発見物品
３２４  登録物品
３３０  登録済み紛失物品
３３２  紛失発見物品
３３４  登録済み発見物品
３４０  登録済み紛失発見物品
【図１Ａ】
2005514696.tif 000003
【図１Ｂ】
2005514696.tif 000004
【図１Ｃ】
2005514696.tif 000005
【図２Ａ】
2005514696.tif 000006
【図２Ｂ】
2005514696.tif 000007
【図３Ａ】
2005514696.tif 000008
【図３Ｂ】
2005514696.tif 000009
【図４】
2005514696.tif 000010
【図５】
2005514696.tif 000011
【図６】
2005514696.tif 000012
【図７Ａ】
2005514696.tif 000013
【図７Ｂ】
2005514696.tif 000014
【図７Ｃ】
2005514696.tif 000015
【図８】
2005514696.tif 000016
【図９Ａ】
2005514696.tif 000017
【図９Ｂ】
2005514696.tif 000018
【図９Ｃ】
2005514696.tif 000019
【図９Ｄ】
2005514696.tif 000020
【図１０Ａ】
2005514696.tif 000021
【図１０Ｂ】
2005514696.tif 000022
【図１０Ｃ】
2005514696.tif 000023
【図１１】
2005514696.tif 000024
【図１２】
2005514696.tif 000025
【図１３】
2005514696.tif 000026
【図１４】
2005514696.tif 000027
【図１５】
2005514696.tif 000028
【図１６】
2005514696.tif 000029
【図１７】
2005514696.tif 000030
【図１８】
2005514696.tif 000031
【図１９Ａ】
2005514696.tif 000032
【図１９Ｂ】
2005514696.tif 000033
【図２０】
2005514696.tif 000034
【図２１Ａ】
2005514696.tif 000035
【図２１Ｂ】
2005514696.tif 000036
【図２１Ｃ】
2005514696.tif 000037
【図２１Ｄ】
2005514696.tif 000038
【図２１Ｅ】
2005514696.tif 000039
【図２２Ａ】
2005514696.tif 000040
【図２２Ｂ】
2005514696.tif 000041
【図２３Ａ】
2005514696.tif 000042
【図２３Ｂ】
2005514696.tif 000043
【図２３Ｃ】
2005514696.tif 000044
【図２４】
2005514696.tif 000045
【図２５】
2005514696.tif 000046
【図２６】
2005514696.tif 000047
【図２７Ａ】
2005514696.tif 000048
【図２７Ｂ】
2005514696.tif 000049
【図２８Ａ】
2005514696.tif 000050
【図２８Ｂ】
2005514696.tif 000051
【図２８Ｃ】
2005514696.tif 000052
【図２９】
2005514696.tif 000053
【国際調査報告】
2005514696.tif 000054